(57)【特許請求の範囲】
【請求項１】
コンテンツと前記コンテンツを一意に識別するコンテンツ識別子とが記録された記録媒体から前記コンテンツを読み出し、読み出した前記コンテンツと、サーバ装置から提供される電子掲示板情報とを再生する再生装置であって、
前記コンテンツ識別子を前記記録媒体から取得する取得手段と、
前記コンテンツ識別子を前記サーバ装置へ送信する送信手段と、
前記サーバ装置から、前記コンテンツの特定箇所に関する書込情報と、前記特定箇所の前記コンテンツにおける再生位置を示す再生位置情報とを含む前記電子掲示板情報を受信する受信手段と、
前記コンテンツと前記書込情報とを同時に再生する再生手段と、
前記コンテンツと前記書込情報とコンテンツの再生位置を前記特定箇所へ変更することを示す指示ボタンとを表示する画面とを備え、
前記書込情報が画面に表示されているとき、画面上で前記指示ボタンが選択されると、前記再生手段は、前記再生位置情報を用いて、コンテンツの再生位置を現在再生中の位置から前記特定箇所へ変更する
ことを特徴とする再生装置。
【請求項２】
コンテンツと前記コンテンツを一意に識別するコンテンツ識別子とが記録された記録媒体から前記コンテンツを読み出し、読み出した前記コンテンツと、サーバ装置から提供される電子掲示板情報とを再生する再生装置で用いられる再生方法であって、
前記コンテンツ識別子を前記記録媒体から取得する取得ステップと、
前記コンテンツ識別子を前記サーバ装置へ送信する送信ステップと、
前記サーバ装置から、前記コンテンツの特定箇所に関する書込情報と、前記特定箇所の前記コンテンツにおける再生位置を示す再生位置情報とを含む前記電子掲示板情報を受信する受信ステップと、
前記コンテンツと前記書込情報とを同時に再生する再生ステップと、
前記コンテンツと前記書込情報とコンテンツの再生位置を前記特定箇所へ変更することを示す指示ボタンとを画面に表示する表示ステップとを含み、
前記書込情報が画面に表示されているとき、画面上で前記指示ボタンが選択されると、前記再生位置情報を用いて、コンテンツの再生位置を現在再生中の位置から前記特定箇所へ変更する
ことを特徴とする再生方法。
【請求項３】
コンテンツと前記コンテンツを一意に識別するコンテンツ識別子とが記録された記録媒体から前記コンテンツを読み出し、読み出した前記コンテンツと、サーバ装置から提供される電子掲示板情報とを再生する再生装置で用いられるコンピュータプログラムであって、
前記再生装置の取得手段に、前記コンテンツ識別子を前記記録媒体から取得する取得ステップと、
前記再生装置の送信手段に、前記コンテンツ識別子を前記サーバ装置へ送信する送信ステップと、
前記再生装置の受信手段に、前記サーバ装置から、前記コンテンツの特定箇所に関する書込情報と、前記特定箇所の前記コンテンツにおける再生位置を示す再生位置情報とを含む前記電子掲示板情報を受信する受信ステップと、
前記再生装置の再生手段に、前記コンテンツと前記書込情報とを同時に再生する再生ステップと、
前記再生装置の表示手段に、前記コンテンツと前記書込情報とコンテンツの再生位置を前記特定箇所へ変更することを示す指示ボタンとを画面に表示する表示ステップとを実行させ、
前記書込情報が画面に表示されているとき、画面上で前記指示ボタンが選択されると、前記再生手段に、前記再生位置情報を用いて、コンテンツの再生位置を現在再生中の位置から前記特定箇所へ変更させる
ことを特徴とするコンピュータプログラム。
【発明の詳細な説明】
【技術分野】
【０００１】
本発明は、情報配信技術に関し、特に、コンテンツに関連する関連情報を、ユーザ装置へ提供するコンテンツ関連情報提供システムに関する。
【背景技術】
【０００２】
近年、デジタル化された音楽や映像等のコンテンツを、ＣＤ（Compact Disc）やＤＶＤ（Digital Versatile Disc）等の大容量記録媒体に格納してユーザに提供するサービスが盛んに行われている。これは、高品質なコンテンツを一度に大量にユーザに提供することが可能であるという利点がある。
一方、高速通信回線及びインターネットへの常時接続の普及に伴い、コンテンツのネットワーク配信も行われるようになってきた。これは、サーバ装置とユーザ装置との双方向通信が可能であるため、ユーザの細かなニーズに対応したコンテンツを提供することが可能であるという利点がある。
【０００３】
また、特許文献１には、これらの技術を連携してユーザにコンテンツを提供する技術が開示されている。上記文献によると、記録媒体には、テキストデータや画像データ等から成るコンテンツと、それらデータの再生手順を記述したリンク情報とから構成されるＨＴＭＬ（Hyper Text Markup Language ）コンテンツが記録されており、再生装置は、リンク情報に基づきコンテンツの再生を行う。また、ＨＴＭＬコンテンツには、コンテンツのインタラクティブ性を高めるために、ネットワークを介して接続されるサーバ上に記録された関連コンテンツへのリンク情報も記述されており、再生装置は、リンク情報に記述されているサーバ上の関連コンテンツを取得し、再生することが出来る。
【特許文献１】
特開平９‐３０７８５９号公報
【発明の開示】
【発明が解決しようとする課題】
上記の従来技術では、記憶媒体に記録されているコンテンツが、関連コンテンツへのリンク情報を含むＨＴＭＬコンテンツなどの場合にしか適用できず、記憶媒体に記録されているコンテンツが関連コンテンツへのリンク情報を含まない場合には、ネットワークを介して、関連コンテンツを取得することができないという問題がある。
【０００４】
そこで、本発明は、係る問題点に鑑みなされたものであり、記録媒体に記録されているコンテンツが関連コンテンツへのリンク情報を含むＨＴＭＬコンテンツではなく、映画や音楽など、関連コンテンツへのリンク情報を含まないコンテンツであっても、ユーザの要求に応じて、関連コンテンツをネットワークを介してユーザ装置へ提供することが可能なコンテンツ関連情報提供システムを提供することを目的とする。
【課題を解決するための手段】
【０００５】
上記目的を達成するために本発明は、再生装置とサーバ装置とを備えるコンテンツ関連情報提供システムであって、前記再生装置は、再生中のコンテンツの再生位置を監視する監視手段と、前記監視手段が監視している再生位置を取得し、前記コンテンツ内の一区間を特定する再生位置情報を生成する再生位置情報生成手段と、生成した前記再生位置情報を、サーバ装置へ送信する再生位置情報送信手段とを含み、前記サーバ装置は、前記再生装置から、前記再生位置情報を受信する再生位置情報受信手段と、受信した前記再生位置情報により特定される一区間に関連する関連情報を取得する関連情報取得手段と、取得した前記関連情報を送信先装置へ送信する関連情報送信手段とを含むことを特徴とする。
【発明の効果】
【０００６】
この構成によると、再生装置がコンテンツの一区間を示す再生位置情報をサーバ装置へ送信することにより、サーバ装置は再生位置情報に対応する関連情報を送信先装置へ送信するので、コンテンツに関連情報を示すリンク情報が含まれていなくても、再生装置はサーバ装置へ関連情報を要求することが可能であり、サーバ装置は関連情報を送信先装置へ提供することが可能である。
【０００７】
また、上記目的を達成するために、本発明は、コンテンツと前記コンテンツを一意に識別するコンテンツ識別子とが記録された記録媒体から前記コンテンツを読み出し、読み出した前記コンテンツと、サーバ装置から提供される電子掲示板情報とを再生する再生装置であって、前記コンテンツ識別子を前記記録媒体から取得する取得手段と、前記コンテンツ識別子を前記サーバ装置へ送信する送信手段と、前記サーバ装置から、前記コンテンツの特定箇所に関する書込情報と、前記特定箇所の前記コンテンツにおける再生位置を示す再生位置情報とを含む前記電子掲示板情報を受信する受信手段と、前記コンテンツと前記書込情報とを同時に再生する再生手段と、前記コンテンツと前記書込情報とコンテンツの再生位置を前記特定箇所へ変更することを示す指示ボタンとを表示する画面とを備え、前記書込情報が画面に表示されているとき、画面上で前記指示ボタンが選択されると、前記再生手段は、前記再生位置情報を用いて、コンテンツの再生位置を現在再生中の位置から前記特定箇所へ変更することを特徴とする。
【０００８】
ここで、前記再生位置情報生成手段は、ユーザから、当該コンテンツ内の所望の場面を選択する場面選択指示を受け付ける選択部と、選択された前記場面の当該コンテンツ内における再生位置を取得する取得部と、取得した前記再生位置を含む前記再生位置情報を生成する生成部とを備えるように構成してもよい。
この構成によると、再生装置はユーザからお気に入りのシーンの選択を受け付け、お気に入りのシーンの再生位置を示す再生位置情報を生成するので、サーバ装置へ、ユーザのお気に入りのシーンを通知することができる。それにより、再生装置はユーザのお気に入りのシーンに関連する関連情報を要求することができる。
【０００９】
ここで、前記再生装置は、更に、再生中の前記コンテンツの再生位置を監視する監視手段を備え、前記取得部は、選択された前記場面の再生位置を、前記監視手段から取得するように構成してもよい。
この構成によると、コンテンツの再生位置を監視しておくことにより、ユーザからお気に入りのシーンの選択を受け付けると、監視している再生位置を参照することで再生位置情報を生成することができる。
【００１０】
ここで、前記再生装置は、更に、前記コンテンツを一意に識別するコンテンツ識別子を取得するコンテンツ識別子取得手段を備え、前記監視手段は、前記再生位置として当該コンテンツの始点からの再生時間を監視し、前記生成部は、前記コンテンツ識別子取得手段により取得された前記コンテンツ識別子と、前記取得部により取得された前記再生位置とを含む前記再生位置情報を生成するように構成してもよい。
【００１１】
この構成によると、再生装置は、コンテンツ識別子を取得して、コンテンツ識別子を含めた再生位置情報を生成してサーバ装置へ送信する。サーバ装置は、コンテンツ識別子を用いて再生位置情報を識別可能であるから、再生装置は、複数のコンテンツについての再生位置情報をサーバ装置へ送信することができる。
ここで、前記再生装置は、更に、前記コンテンツを画面に表示する表示手段と、選択された前記場面が前記画面に表示されている状態において、ユーザから、画面上における所望の箇所を選択する画面位置選択指示を受け付け、選択された前記箇所の当該画面上における位置を示す画面内位置を取得する画面内位置取得手段とを備え、前記生成部は、前記コンテンツ識別子と、前記再生位置と、前記画面内位置とを含む前記再生位置情報を生成するように構成してもよい。
【００１２】
この構成によると、再生装置は、ユーザから、あるシーンに含まれる俳優、レストラン、テーマパーク、家具、建築物等、ユーザが興味のある画像が表示されている箇所の選択を受け付けることができる。これにより、再生装置は、サーバ装置へユーザの興味の対象をより詳細に通知することができ、ユーザのお気に入りのシーンのみならず、お気に入りのシーンに含まれる興味の対象に関連する関連情報を要求することができる。
【００１３】
ここで、前記再生装置は、前記コンテンツを格納している可搬型の記録媒体から、前記コンテンツを読み出して再生し、前記監視手段は、再生中の前記コンテンツの前記記録媒体における位置を示す前記再生位置を監視しており、前記取得部は、選択された前記場面の当該記録媒体における位置を示す前記再生位置を取得するように構成してもよい。
この構成によると、再生装置は、記録媒体に格納されているコンテンツを再生するときには、再生しているフレームの、記録媒体内での記録位置であるトラック番号やセクタ番号などを監視することで、記録媒体に格納されているコンテンツの再生位置情報を生成することも可能である。
【００１４】
ここで、前記コンテンツは、複数のフレームから構成され、各フレームは、当該コンテンツの始点からの再生時間を含み、前記取得部は、選択された前記場面に相当するフレームから、当該フレームに含まれる再生時間を取得するように構成してもよい。
この構成によると、コンテンツを構成する各フレームに、コンテンツ全体に対する当該フレームの位置である再生時間が記述されているので、再生装置が再生中のコンテンツの再生位置を監視していなくても、フレームに含まれる再生時間から再生位置情報を生成することができる。また、フレームには再生時間でなく、再生順に番号が記述されていてもよい。
【００１５】
ここで、前記コンテンツは、複数のフレームから構成され、前記選択部は、選択された前記場面に相当するフレームを取得し、前記生成部は、取得した前記フレームを含む前記再生位置情報を生成するように構成してもよい。
この構成によると、再生装置が再生位置を監視していなくても、また、コンテンツを構成する各フレームに再生時間が記述されていなくても、再生位置情報としてフレームのデータ自体をサーバ装置へ送信することにより、サーバ装置に対して関連情報を要求することが可能である。
【００１６】
ここで、前記再生装置は、更に、前記再生位置情報により特定される前記コンテンツ内の一区間に関連する関連情報を、前記サーバ装置から受信する関連情報受信手段を備えるように構成してもよい。
この構成によると、再生装置は、再生するコンテンツに、関連情報を示すリンク情報が含まれていない場合でも、再生装置自身が生成した再生位置情報をサーバ装置へ送信することにより、関連情報を取得することができる。
【００１７】
ここで、前記再生装置は、前記コンテンツと、前記関連情報受信手段が受信した前記関連情報とを連携させて再生するように構成してもよい。
この構成によると、再生装置は、再生するコンテンツに、関連情報を示すリンク情報が含まれていない場合でも、再生装置自身生成した再生位置情報をサーバ装置へ送信することにより、関連情報を取得して、コンテンツと関連情報とを連携して再生することができる。具体例として、映画であるコンテンツに対して、字幕データである関連情報を受信することにより、映画と字幕データとを連携して再生することができる。
【００１８】
また、上記目的を達成するために、本発明は、記録媒体に記録されたコンテンツに関連する電子掲示板情報を、前記コンテンツを再生する再生装置へ提供するサーバ装置であって、前記コンテンツの特定箇所に関する書込情報と、前記特定箇所の前記コンテンツにおける再生位置を示す再生位置情報とを含む前記電子掲示板情報を保持する保持手段と、前記保持手段から、前記電子掲示板情報を取得する取得手段と、取得した前記電子掲示板情報を、前記再生装置へ送信する送信手段とを備え、前記再生装置は、前記記録媒体から読み出した前記コンテンツと前記サーバ装置から送信された前記書込情報とを再生し、前記コンテンツと前記書込情報とコンテンツの再生位置を前記特定箇所へ変更することを示す指示ボタンとを画面に表示し、画面上で前記指示ボタンが選択されると、前記再生装置は、前記再生位置情報を用いて、コンテンツの再生位置を現在再生中の位置から前記特定箇所へ変更することを特徴とする。
【００１９】
この構成によると、サーバ装置は、再生装置からコンテンツの一区間を示す再生位置情報を受信することにより、再生位置情報に対応する関連情報を送信先装置へ送信する。再生装置から、関連情報が記憶されているサーバ装置上の位置等を示すリンク情報を受信しなくても、サーバ装置は関連情報を送信先装置へ提供することが可能である。
ここで、前記サーバ装置は、更に、前記コンテンツを構成する場面ごとに、各場面の当該コンテンツ内における再生位置と、各場面に関連する関連情報とを対応付けて記憶している関連情報記憶手段を備え、前記関連情報受信手段は、前記コンテンツ内の一場面を特定する再生位置を含む前記再生位置情報を受信し、前記関連情報取得手段は、前記再生位置情報に含まれる前記再生位置に対応付けられた関連情報を、前記関連情報記憶手段から取得するように構成してもよい。
【００２０】
この構成によると、サーバ装置は、コンテンツを構成するシーン毎に各シーンに関連する関連情報を提供することが可能である。また関連情報をサーバ装置自身が記憶していることで、関連情報を他装置から取得しなくてもよい。
ここで、前記関連情報記憶手段は、前記コンテンツを構成する場面ごとに、各場面の再生位置と対応付けて、各場面に含まれるフレームである前記関連情報、又は、各場面に含まれるフレームを加工して生成された前記関連情報を記憶しているように構成してもよいし、また、前記関連情報記憶手段は、前記コンテンツを構成する場面ごとに、各場面に含まれる画像に関連する前記関連情報を、前記場面が前記再生装置の画面に表示されたときの、前記画像の前記画面上の位置に対応付けて記憶しており、前記再生位置情報受信手段は、再生位置と画面内位置とを含む前記再生位置情報を受信し、前記関連情報取得手段は、受信した前記再生位置情報に含まれる前記再生位置と前記画面内位置とにより特定される関連情報を、前記関連情報記憶手段から取得するように構成してもよい。
【００２１】
この構成によると、サーバ装置は、再生装置から画面内位置を含む再生位置情報を受信することにより、あるシーンに含まれる俳優、レストラン、テーマパーク、家具、建築物等、ユーザの興味の対象をより詳細に知ることができる。これによりサーバ装置は、ユーザの興味の度合いが高いと思われる関連情報を、送信先装置へ提供することが可能である。
【００２２】
ここで、前記サーバ装置は、更に、前記再生装置から当該再生装置のユーザを一意に識別するユーザ識別子を受信するユーザ識別子受信手段と、複数のユーザ識別子について、各ユーザ識別子と前記関連情報の送信先装置を示す送信先情報とを対応付けて記憶している送信先情報記憶手段とを備え、前記関連情報送信手段は、前記送信先情報記憶手段を参照し、ユーザ識別子受信手段が受信した前記ユーザ識別子に対応する送信先情報を取得し、取得した前記送信先情報により示される送信先装置へ、前記関連情報を送信するように構成してもよい。
【００２３】
また、前記送信先情報記憶手段は、前記再生装置のユーザを一意に識別するユーザ識別子と、当該再生装置を示す送信先情報とを対応付けて記憶しており、前記関連情報送信手段は、前記再生装置へ前記関連情報を送信するように構成してもよいし、前記送信先情報記憶手段は、前記再生装置のユーザを一意に識別するユーザ識別子と、当該再生装置とは異なる装置を示す送信先情報とを対応付けて記憶しており、前記関連情報送信手段は、前記再生装置とは異なる、前記送信先情報により示される装置へ前記関連情報を送信するように構成してもよい。
【００２４】
この構成によると、例えば、サービス加入時にユーザがサーバ装置に対してユーザ識別子と送信先装置のアドレスとを通知し、サーバ装置はそれらを記憶しておくことで、ユーザが指定した装置へ関連情報を送信することが可能である。
ここで、前記サーバ装置は、前記ユーザ識別子に基づき、前記ユーザに対して前記関連情報に係る課金を行う課金手段を備えるように構成してもよい。
【００２５】
この構成によると、サーバ装置は、送信先装置へ提供した関連情報に対する対価として、ユーザに課金することができる。
ここで、前記再生位置情報受信手段は、前記コンテンツを構成する複数のフレームの一部である前記再生位置情報を受信し、前記関連情報取得手段は、受信したフレームを加工することにより前記関連情報を生成するように構成してもよい。
【００２６】
この構成によると、サーバ装置は、再生装置から再生位置情報としてコンテンツの一部であるフレームを受信した場合にも、受信したフレームから関連情報を生成して、送信先装置へ提供することができる。例えば、サーバ装置はフレームを加工してデジタル署名を施した高画質な静止画データなどを提供するサービスを提供できる。また、この場合、サーバ装置は予め関連情報を生成して記憶しておく必要がないという利点がある。
【発明を実施するための最良の形態】
【００２７】
≪第１の実施の形態≫
本発明に係る第１の実施の形態として、コンテンツ関連情報提供システム１について説明する。
コンテンツ関連情報提供システム１は、第一再生装置が、記録媒体に格納されたパッケージコンテンツを再生中に、ユーザの要求を受け付けると、そのとき第一再生装置上で表示されていた場面（以下では「再生位置」と呼称することもある）に関連する、サーバ上のネットワークコンテンツを、サーバから第二再生装置へ提供するシステムである。
【００２８】
＜構成＞
ここでは、コンテンツ関連情報提供システム１の構成について説明する。
図１は、コンテンツ関連情報提供システム１の構成を示すシステム構成図である。同図に示す様に、コンテンツ関連情報提供システム１は、記録媒体１０、第一再生装置２０、サーバ装置３０及び第二再生装置４０から構成される。
【００２９】
第一再生装置２０、サーバ装置３０及び第二再生装置４０は、それぞれネットワーク５０に接続しており、記録媒体１０は、第一再生装置２０に装着して用いられる。  本実施形態では、ネットワーク５０はインターネットを想定しているが、ネットワーク５０はインターネットに限定されず、電話回線や専用線等でもよい。
１．記録媒体１０
記録媒体１０は、予め内部にコンテンツ記録データＣＮＴＤＡＴＡを格納している可搬媒体であり、具体的には、ＤＶＤ‐ＲＯＭである。
【００３０】
図２は、記録媒体１０に格納されているコンテンツ記録データＣＮＴＤＡＴＡを示す図である。同図に示す様に、コンテンツ記録データＣＮＴＤＡＴＡは、コンテンツ識別子ＣＩＤ‐１と第一コンテンツＣＮＴ１とから構成される。
第一コンテンツＣＮＴ１は、具体的には、ＭＰＥＧ‐２（Ｍｏｖｉｎｇ Ｐｉｃｔｕｒｅ Ｅｘｐｅｒｔ Ｇｒｏｕｐ‐２）フォーマットで映画を圧縮符号化して生成したコンテンツデータである。なお、ここで用いられているＭＰＥＧ‐２は一例であり、第一再生装置２０で再生可能なフォーマットであればＭＰＥＧ‐２に限定されない。
【００３１】
コンテンツ識別子ＣＩＤ‐１は、第一コンテンツＣＮＴ１を一意に識別するために用いられる符号又は文字列等である。ここでは具体的にコンテンツ識別子ＣＩＤ‐１は、第一コンテンツＣＮＴ１の映画タイトルであるとする。なお、コンテンツ識別子ＣＩＤ‐１として、第一コンテンツＣＮＴ１の映画タイトルではなく、記録媒体１０を一意に識別するディスク番号を用いてもよい。
【００３２】
２．第一再生装置２０
図３は、第一再生装置２０の構成を機能的に示す機能ブロック図である。同図に示す様に、第一再生装置２０は、アクセス部２０１、デコード部２０２、カウンタ部２０３、ユーザ情報格納部２０４、要求情報入力部２０５、制御部２０６、送信部２０７、サーバアドレス入力部２０８、操作部２０９及び出力部２１０から構成される。
【００３３】
第一再生装置２０は、具体的には、ＤＶＤプレーヤとディスプレィユニットとから構成されるＤＶＤシステムであり、より具体的には、マイクロプロセッサ、ＲＯＭ、ＲＡＭ、ハードディスクユニット、ネットワーク接続ユニット、ＭＰＥＧデコーダ等を備えるコンピュータシステムである。
（１）アクセス部２０１
アクセス部２０１は、具体的には、ターンテーブル、光ピックアップ、トラックバッファ等を備えるＤＶＤ‐ＲＯＭドライブユニットであり、記録媒体１０に格納されているコンテンツ記録データＣＮＴＤＡＴＡを以下のように読み出す。
【００３４】
先ず、ターンテーブルに記録媒体１０が装着されると、アクセス部２０１は、コンテンツ記録データＣＮＴＤＡＴＡの読み出し開始を示す信号を制御部２０６へ出力する。
続いて、光ピックアップは、レーザービームによりコンテンツ識別子ＣＩＤ‐１を読み出し、読み出したコンテンツ識別子ＣＩＤ‐１をカウンタ部２０３へ出力する。続いて、光ピックアップは、第一コンテンツＣＮＴ１を逐次読み出し、読み出した第一コンテンツＣＮＴ１を、トラックバッファを介してデコード部２０２へ出力する。
【００３５】
（２）デコード部２０２
デコード部２０２は、ＭＰＥＧ‐２ビデオデコーダ、ＭＰＥＧ‐２オーディオデコーダ、ビデオバッファ、オーディオバッファ等を備える。
デコード部２０２は、アクセス部２０１から逐次出力される第一コンテンツＣＮＴ１を、ビデオデータとオーディオデータとに分離する。デコード部２０２は、分離したビデオデータを、ＭＰＥＧ‐２ビデオデコーダを用いて映像信号に伸長し、分離したオーディオデータを、ＭＰＥＧ‐２オーディオデコーダを用いて音声信号に伸長する。デコード部２０２は、伸長した映像信号と音声信号とを、逐次出力部２１０へ出力する。
【００３６】
なお、デコード部２０２は、ソフトウェアにより実現されてもよいし、ハードウェアにより実現されてもよい。
（３）カウンタ部２０３
カウンタ部２０３は、カウンタＣＴＲとコンテンツ識別子を保持するための領域とを備える。
【００３７】
カウンタＣＴＲは、第一コンテンツＣＮＴ１の再生時間を測定する。具体的には、カウンタＣＴＲは、１０進数８桁で「０」から「９９，９９９，９９９」までの数値を取り得る。
カウンタ部２０３は、制御部２０６から初期化指示を受け取ると、カウンタＣＴＲの数値を「０」にリセットし、それまで保持していたコンテンツ識別子を破棄することにより、カウンタ部２０３を初期化する。
【００３８】
カウンタ部２０３は、アクセス部２０１からコンテンツ識別子ＣＩＤ‐１を受け取ると、図４に示す様に、コンテンツ識別子ＣＩＤ‐１を内部に保持し、カウンタＣＴＲにより、コンテンツの再生時間の計測を開始する。具体的にカウンタＣＴＲは、「０」から１ｍｓ毎に数値を「１」だけ増加させる。
なお、カウンタＣＴＲは１０進数８桁に限らず、何進数でも良いし、何桁でも良い。また、カウンタＣＴＲは、ビデオとオーディオとの同期をとるための時間軸フォーマットであるタイムコードによって実現されても良い。また、カウンタＣＴＲは、第一再生装置２０が早送りや巻き戻し等の機能を有している場合にも、第一コンテンツＣＮＴ１の再生位置を特定できるように構成されているものとする。
【００３９】
（４）ユーザ情報格納部２０４
ユーザ情報格納部２０４は、図５に示すように、ユーザ識別子ＵＩＤ‐１を保持する。ユーザ識別子ＵＩＤ‐１は、第一再生装置２０のユーザを一意に識別するための識別子である。ここでは、具体的にユーザ識別子ＵＩＤ‐１として、第一再生装置２０の製造時にユーザ情報格納部２０４に書き込まれた装置固有の製造番号を用いるものとする。
【００４０】
なお、ユーザ識別子ＵＩＤ‐１は、装置固有の製造番号に限定されず、ユーザのクレジットカード番号などを用いてもよい。この場合、ユーザは、第一再生装置２０の初期設定時に操作部２０９を介して自身のクレジットカード番号を入力し、入力されたクレジットカード番号を、制御部２０６がユーザ情報格納部２０４に格納するように構成してもよい。
【００４１】
また、ユーザ識別子ＵＩＤ‐１は、ユーザがＷｅｂービスなどを介して、コンテンツ提供者の登録サーバに、ユーザ登録を行うことにより取得する識別子であってもよい。ユーザは、登録サーバから取得したユーザ識別子ＵＩＤ‐１を、操作部２０９を介して第一再生装置２０に入力するように構成してもよい。
更に、ユーザ識別子ＵＩＤ‐１として、第二再生装置４０のネットワーク上のアドレスであるＡＤＲ‐１を用いても良い。
【００４２】
（５）要求情報入力部２０５
要求情報入力部２０５は、具体的には赤外線受光部等から構成される。要求情報入力部２０５は、操作部２０９から赤外線信号で送信される要求情報ＲＥＱを受信し、受信した要求情報ＲＥＱを制御部２０６へ出力する。
要求情報ＲＥＱは、デコード部２０２及び出力部２１０が第一コンテンツＣＮＴ１を再生中に、操作部２０９がユーザに操作されることにより生成される情報であり、ユーザ所望の再生位置を指定するために用いられる情報である。
【００４３】
（６）制御部２０６
制御部２０６は、マイクロプロセッサ、ＲＯＭ、ＲＡＭ等から構成される。制御部２０６は、アクセス部２０１、カウンタ部２０３、ユーザ情報格納部２０４、要求情報入力部２０５及び送信部２０７と接続されており、第一再生装置２０全体を制御する。
制御部２０６は、アクセス部２０１からコンテンツ記録データＣＮＴＤＡＴＡの読み出し開始を示す信号を受け取ると、カウンタ部２０３に対して、初期化指示を出力する。
【００４４】
制御部２０６は、要求情報入力部２０５から出力される要求情報ＲＥＱを受け取ると、カウンタ部２０３からコンテンツ識別子ＣＩＤ‐１と、その時点においてカウンタＣＴＲがカウントしている数値とを取得し、更に、ユーザ情報格納部２０４からユーザ識別子ＵＩＤ‐１を取得する。ここでは、その時点においてカウンタＣＴＲがカウントしている数値を「カウンタＣＴＲ‐ｎ」と表す。制御部２０６は、取得したコンテンツ識別子ＣＩＤ‐１、カウンタＣＴＲ‐ｎ及びユーザ識別子ＵＩＤ‐１から、図６に示す再生位置情報ＴＩ１を生成する。
【００４５】
再生位置情報ＴＩ１は、コンテンツ識別子ＣＩＤ‐１により識別される第一コンテンツＣＮＴ１中の、カウンタＣＴＲ‐ｎが示す再生位置に関連するネットワークコンテンツを、ユーザ識別子ＵＩＤ‐１により識別されるユーザが登録している装置へ送信することを要求する情報である。
制御部２０６は、生成した再生位置情報ＴＩ１を、送信部２０７へ出力する。
【００４６】
（７）送信部２０７
送信部２０７は、制御部２０６から再生位置情報ＴＩ１を受け取り、更に、サーバアドレス入力部２０８からサーバアドレスＳ‐ＡＤＲを受け取る。送信部２０７は、ネットワーク５０経由で、サーバアドレスＳ‐ＡＤＲ宛てに再生位置情報ＴＩ１を送信する。
（８）サーバアドレス入力部２０８
サーバアドレス入力部２０８は、具体的には赤外線受光部等から構成される。サーバアドレス入力部２０８は、操作部２０９から赤外線信号で送信されるサーバアドレスＳ‐ＡＤＲを受信し、受信したサーバアドレスＳ‐ＡＤＲを送信部２０７へ出力する。なお、サーバアドレスＳ‐ＡＤＲは、サーバ装置３０のネットワーク上のアドレスであり、例えば、メールアドレスやＩＰアドレスである。
【００４７】
（９）操作部２０９
操作部２０９は、複数のボタンなどを備える操作面と、赤外線発光部とから構成され、第一再生装置２０の遠隔操作を行うために用いられるリモートコントロール装置（リモコン）である。操作部２０９は、操作面上のボタンがユーザにより押下されると、押下されたボタンに対応する操作信号を生成し、生成した操作信号を、赤外線を用いて第一再生装置２０の赤外線受光部に送信する。
【００４８】
操作部２０９が生成する操作信号の具体例は、要求情報ＲＥＱとサーバアドレスＳ‐ＡＤＲである。操作部２０９は、出力部２１０による第一コンテンツＣＮＴ１の再生中に、ユーザから、特定のボタンが押下されると、要求情報ＲＥＱを生成し、生成した要求情報ＲＥＱを、要求情報入力部２０５へ送信する。また、操作部２０９は、ユーザからサーバアドレスＳ‐ＡＤＲの入力を受け付け、受け付けたサーバアドレスＳ‐ＡＤＲをサーバアドレス入力部２０８へ送信する。
【００４９】
（１０）出力部２１０
出力部２１０は、具体的には、ディスプレィ及びスピーカ等を含むディスプレィユニットである。出力部２１０は、デコード部２０２から出力される映像信号を逐次ディスプレィに表示し、デコード部２０２から出力される音声信号を逐次スピーカに出力する。
３．サーバ装置３０
サーバ装置３０は、複数個のパッケージコンテンツについて、各パッケージコンテンツにつき複数個のネットワークコンテンツを記憶、管理しているサーバ装置である。また、サーバ装置３０は、ネットワーク上のアドレスＳ‐ＡＤＲを有する。
【００５０】
図７は、サーバ装置３０の構成を機能的に示す機能ブロック図である。同図に示すように、サーバ装置３０は、受信部３０１、送信先情報取得部３０２、送信先情報格納部３０３、コンテンツ取得部３０４、コンテンツ格納部３０５及び送信部３０６から構成される。
サーバ装置３０は、具体的にはマイクロプロセッサ、ＲＯＭ、ＲＡＭ、ハードディスクユニット、ネットワーク接続ユニットなどを備えるコンピュータシステムである。
【００５１】
（１）受信部３０１
受信部３０１は、ネットワーク接続ユニットを備え、ネットワーク５０を介して第一再生装置２０から送信される再生位置情報ＴＩ１を受信する。再生位置情報ＴＩ１は、図６に示した様に、ユーザ識別子ＵＩＤ‐１、コンテンツ識別子ＣＩＤ‐１及びカウンタＣＴＲ‐ｎから構成される。受信部３０１は、受信した再生位置情報ＴＩ１からユーザ識別子ＵＩＤ‐１を抽出して、送信先情報取得部３０２へ出力する。また、受信部３０１は、受信した再生位置情報ＴＩ１からコンテンツ識別子ＣＩＤ‐１とカウンタＣＴＲ‐ｎとを抽出して、コンテンツ取得部３０４へ出力する。
【００５２】
（２）送信先情報取得部３０２
送信先情報取得部３０２は、受信部３０１から出力されるユーザ識別子ＵＩＤ‐１を受け取り、受け取ったユーザ識別子ＵＩＤ‐１に対応する送信先情報ＡＤＲ‐１を、後述する送信先情報格納部３０３から取得する。
（３）送信先情報格納部３０３
図８は、送信先情報格納部３０３に格納されている情報を示す図である。送信先情報格納部３０３は、ｋ個（ｋは１以上の整数）のユーザ識別子とｋ個の送信先情報とを１対１に対応付けて記憶している、より具体的には、送信先情報格納部３０３は、ユーザ識別子ＵＩＤ‐１と送信先情報ＡＤＲ‐１、ユーザ識別子ＵＩＤ‐２と送信先情報ＡＤＲ‐２、・・・、ユーザ識別子ＵＩＤ‐ｋと送信先情報ＡＤＲ‐ｋを対応付けて記憶している。
【００５３】
送信先情報は、対応するユーザ識別子により識別される装置から送信された再生位置情報をサーバ装置３０が受信した場合に、受信した再生位置情報に関連するネットワークコンテンツの送信先装置を特定するために用いられる情報である。具体的には、送信先情報は、ネットワークコンテンツの送信先装置が有するネットワーク上のアドレスであって、より具体的にはメールアドレスやＩＰアドレスである。
【００５４】
図８に依ると、ユーザ識別子ＵＩＤ‐１を含む再生位置情報ＴＩ１をサーバ装置３０が受信した場合に、サーバ装置３０は、再生位置情報ＴＩ１に関連するネットワークコンテンツを、ネットワークアドレスＡＤＲ‐１を有する装置へ送信すればよいことが分かる。
なお、ユーザ識別子と送信先情報とは、予めユーザからの登録を受け付けることにより送信先情報格納部３０３に格納される。例えば、ユーザは、郵送やＷｅｂサービス等により予めサーバ装置３０にユーザ識別子と送信先情報とを通知する。
【００５５】
（４）コンテンツ取得部３０４
コンテンツ取得部３０４は、受信部３０１からコンテンツ識別子ＣＩＤ‐１及びカウンタＣＴＲ‐ｎを受け取る。
コンテンツ取得部３０４は、受け取ったコンテンツ識別子ＣＩＤ‐１に基づき、後述するコンテンツ格納部３０５からコンテンツ識別子ＣＩＤ‐１により示される第一コンテンツＣＮＴ１に関連する複数個のネットワークコンテンツを含む第１コンテンツ群３０５ａを選択する。次に、コンテンツ取得部３０４は、受け取ったカウンタＣＴＲ‐ｎに基づき、選択した第１コンテンツ群３０５ａに含まれる複数個のネットワークコンテンツから、第二コンテンツＣＮＴ２‐１‐ｎを選択し、取得する。
【００５６】
コンテンツ取得部３０４は、取得した第二コンテンツＣＮＴ２‐１‐ｎを送信部３０６へ出力する。
（５）コンテンツ格納部３０５
コンテンツ格納部３０５は、図９に示す様に、ｍ個（ｍは１以上の整数）のコンテンツ群を格納しており、各コンテンツ群は、更に、複数個のネットワークコンテンツを格納している。以下では、更に具体的に説明する。
【００５７】
コンテンツ格納部３０５は、コンテンツ識別子ＣＩＤ‐１により識別される第一コンテンツＣＮＴ１に関連する複数個のネットワークコンテンツを含む第１コンテンツ群３０５ａ、コンテンツ識別子ＣＩＤ‐２により識別されるパッケージコンテンツに関連する複数個のネットワークコンテンツを含む第２コンテンツ群３０５ｂ、・・・、コンテンツ識別子ＣＩＤ‐ｍにより識別されるパッケージコンテンツに関連する複数個のネットワークコンテンツを含む第ｍコンテンツ群３０５ｃを格納している。
【００５８】
第１コンテンツ群３０５ａは、コンテンツ識別子ＣＩＤ‐１により識別される第一コンテンツＣＮＴ１内のカウンタＣＴＲ‐１により示される再生位置に関連するネットワークコンテンツである第二コンテンツＣＮＴ２‐１‐１、カウンタＣＴＲ‐２により示される再生位置に関連するネットワークコンテンツである第二コンテンツＣＮＴ２‐１‐２、カウンタＣＴＲ‐３により示される再生位置に関連するネットワークコンテンツである第二コンテンツＣＮＴ２‐１‐３、・・・、カウンタＣＴＲ‐ｎにより示される再生位置に関連するネットワークコンテンツである第二コンテンツＣＮＴ２‐１‐ｎ、・・・を含む。
【００５９】
なお、第二コンテンツＣＮＴ２‐１‐１、第二コンテンツＣＮＴ２‐１‐２、第二コンテンツＣＮＴ２‐１‐３、・・・、第二コンテンツＣＮＴ２‐１‐ｎ、・・・は、何れも映画である第一コンテンツＣＮＴ１の一場面から、第二再生装置４０で再生可能なフォーマットで作成された壁紙データ（静止画データ）である。ここで用いられているフォーマットの具体例はＪＰＥＧ（Joint Photographic Experts Group）である。
【００６０】
即ち、第１コンテンツ群３０５ａは、映画のタイトル（コンテンツ識別子）と再生位置（カウンタＣＴＲ‐ｎ）と壁紙データ（第二コンテンツＣＮＴ２‐１‐ｎ）とから成る複数個の組を含む。なお、壁紙データには、不正コピーを防止するために電子透かしが埋め込まれている。
第２コンテンツ群３０５ｂは、図示していないが、コンテンツ識別子ＣＩＤ‐２により識別されるパッケージコンテンツ内のカウンタＣＴＲ‐１により示される再生位置に関連するネットワークコンテンツである第二コンテンツＣＮＴ２‐２‐１、カウンタＣＴＲ‐２により示される再生位置に関連するネットワークコンテンツである第二コンテンツＣＮＴ２‐２‐２、カウンタＣＴＲ‐３により示される再生位置に関連するネットワークコンテンツである第二コンテンツＣＮＴ２‐２‐３、・・・、カウンタＣＴＲ‐ｎにより示される再生位置に関連するネットワークコンテンツである第二コンテンツＣＮＴ２‐２‐ｎ、・・・を含む。
【００６１】
同様に、第ｍコンテンツ群３０５ｃは、図示していないが、コンテンツ識別子ＣＩＤ‐ｍにより識別されるパッケージコンテンツ内のカウンタＣＴＲ‐１により示される再生位置に関連するネットワークコンテンツである第二コンテンツＣＮＴ２‐ｍ‐１、カウンタＣＴＲ‐２により示される再生位置に関連するネットワークコンテンツである第二コンテンツＣＮＴ２‐ｍ‐２、カウンタＣＴＲ‐３により示される再生位置に関連するネットワークコンテンツである第二コンテンツＣＮＴ２‐ｍ‐３、・・・、カウンタＣＴＲ‐ｎにより示される再生位置に関連するネットワークコンテンツである第二コンテンツＣＮＴ２‐ｍ‐ｎ、・・・を含む。
【００６２】
コンテンツ格納部３０５が格納しているこれらの情報は、予めコンテンツ提供者により登録された情報である。
（６）送信部３０６
送信部３０６は、送信先情報取得部３０２から送信先情報ＡＤＲ‐１を受け取り、コンテンツ取得部３０４から第二コンテンツＣＮＴ２‐１‐ｎを受け取る。送信部３０６は、ネットワーク５０経由で、送信先情報ＡＤＲ‐１宛てに、第二コンテンツＣＮＴ２‐１‐ｎを送信する。
【００６３】
４．第二再生装置４０
第二再生装置４０は、第一再生装置２０を所持するユーザと同一のユーザが所持する装置である。
図１０は、第二再生装置４０の構成を機能的に示す機能ブロック図である。同図に示す様に、第二再生装置４０は、送受信部４０１、デコード部４０２、表示部４０３、制御部４０４、アンテナ４０５、スピーカ４０６及びマイク４０７から構成される。第二再生装置４０は、具体的には、マイクロプロセッサ、ＲＯＭ、ＲＡＭ、液晶画面、キー操作部、アンテナなどから構成され、無線電波を用いて通信を行う可搬型の携帯電話機である。
【００６４】
図１０に示した制御部４０４、アンテナ４０５、スピーカ４０６及びマイク４０７は、第二再生装置４０の携帯電話機としての機能を担う構成要素であるが、携帯電話機の構成及び機能については公知技術であるため、ここでは説明を省略する。以下では、当該システムにおける第二再生装置４０の特徴的な構成について述べる。
（１）送受信部４０１
送受信部４０１は、アンテナ４０５を介して、図示していない無線基地局との間で電波の送受信を行い、サーバ装置３０から送信される第二コンテンツＣＮＴ２‐１‐ｎを、ネットワーク５０及び無線基地局を介して受信する。送受信部４０１は、受信した第二コンテンツＣＮＴ２‐１‐ｎを、デコード部４０２へ出力する。
【００６５】
（２）デコード部４０２
デコード部４０２は、具体的にはＪＰＥＧデコーダであって、送受信部４０１から出力される第二コンテンツＣＮＴ２‐１‐ｎを受け取り、受け取った第二コンテンツＣＮＴ２‐１‐ｎをデコードする。デコード部４０２は、デコード後の第二コンテンツＣＮＴ２‐１‐ｎを表示部４０３へ出力する。
【００６６】
（３）表示部４０３
表示部４０３は、液晶画面と画像記憶領域とを備える。表示部４０３は、デコード部４０２によりデコードされた第二コンテンツＣＮＴ２‐１‐ｎを受け取り、受け取った第二コンテンツＣＮＴ２‐１‐ｎを画像記憶領域に保存する。表示部４０３は、制御部４０４から第二再生装置４０のステイタスが「待ち受け」であることを示す信号を受け取ると、画像記憶領域に保存している第二コンテンツＣＮＴ２‐１‐ｎを液晶画面に表示する。
【００６７】
＜動作＞
ここでは、図１１から図１４までに示すフローチャートを用いて、コンテンツ関連情報提供システム１の動作について説明する。
１．全体の動作
図１１は、コンテンツ関連情報提供システム１の全体の動作を示すフローチャートである。
【００６８】
先ず、第一再生装置２０による処理を行い（ステップＳ１１）、次にサーバ装置３０による処理を行う（ステップＳ１２）。続いて、第二再生装置４０による処理を行い（ステップＳ１３）、その後処理を終了する。
２．第一再生装置２０の動作
ここでは、図１２に示すフローチャートを用いて、第一再生装置２０による処理の動作について説明する。なお、ここで説明する動作は、図１１に示したフローチャートのステップＳ１１の詳細である。第一再生装置２０は、アクセス部２０１に記録媒体１０が装着されることにより処理を開始する。
【００６９】
アクセス部２０１は、記録媒体１０からコンテンツ記録データＣＮＴＤＡＴＡの読み出し開始を示す信号を制御部２０６へ出力する。制御部２０６は、コンテンツ記録データＣＮＴＤＡＴＡの読み出し開始を示す信号を受け取ると、カウンタ部２０３に対して初期化指示を出力する。カウンタ部２０３は初期化指示を受け取ると、内部を初期化する（ステップＳ１００）。
【００７０】
次に、アクセス部２０１は記録媒体１０からコンテンツ識別子ＣＩＤ‐１を読み出し、読み出したコンテンツ識別子ＣＩＤ‐１をカウンタ部２０３に出力する。カウンタ部２０３は、コンテンツ識別子ＣＩＤ‐１を受け取り内部に格納すると共に、カウンタＣＴＲによる時間の測定を開始する（ステップＳ１０１）。ステップＳ１０１で時間の測定を開始したカウンタＣＴＲは、１ｍｓ毎にカウンタＣＴＲの数値を自動的に１つ進めるとする。カウンタ部２０３のカウンタＣＴＲの動作と独立して、第一再生装置２０は、ステップＳ１０２以降の処理を行う。
【００７１】
アクセス部２０１は、記録媒体１０から第一コンテンツＣＮＴ１の一部分を抽出し（ステップＳ１０２）、抽出した第一コンテンツＣＮＴ１の一部分を、デコード部２０２へ出力する（ステップＳ１０３）。デコード部２０２は、アクセス部２０１から第一コンテンツＣＮＴ１の一部分を受け取ると、映像データと音声データとに分離して、それぞれをデコードして映像信号と音声信号とを生成する。デコード部２０２は、デコードされた第一コンテンツＣＮＴ１の一部分を出力部２１０へ出力し、出力部２１０は、デコード部２０２から出力される第一コンテンツＣＮＴ１の一部分を再生する（ステップＳ１０４）。
【００７２】
ここで、要求情報入力部２０５が、操作部２０９を介して要求情報ＲＥＱの入力を受け付けたか否か判断し（ステップＳ１０５）、要求情報ＲＥＱの入力を受け付けない場合（ステップＳ１０５でＮＯ）、ステップＳ１１２に進む。
要求情報入力部２０５が、操作部２０９を介して要求情報ＲＥＱの入力を受け付けた場合（ステップＳ１０５でＹＥＳ）、要求情報入力部２０５は受け付けた要求情報ＲＥＱを、制御部２０６へ出力する（ステップＳ１０６）。
【００７３】
制御部２０６は、要求情報ＲＥＱを受け取ると、カウンタ部２０３に格納されているコンテンツ識別子ＣＩＤ‐１と、その時点におけるカウンタＣＴＲの数値であるカウンタＣＴＲ‐ｎとを取得する（ステップＳ１０７）。また、制御部２０６は、ユーザ情報格納部２０４から、ユーザ識別子ＵＩＤ‐１を取得する（ステップＳ１０８）。
制御部２０６は、ステップＳ１０７で取得したコンテンツ識別子ＣＩＤ‐１及びカウンタＣＴＲ‐ｎと、ステップＳ１０８で取得したユーザ識別子ＵＩＤ‐１とから、再生位置情報ＴＩ１を生成する（図６参照）。制御部２０６は、生成した再生位置情報ＴＩ１を送信部２０７へ出力する（ステップＳ１０９）。
【００７４】
一方、サーバアドレス入力部２０８は、操作部２０９を介してサーバアドレスＳ‐ＡＤＲの入力を受け付け、受け付けたサーバアドレスＳ‐ＡＤＲを送信部２０７へ出力する（ステップＳ１１０）。
送信部２０７は、サーバアドレスＳ‐ＡＤＲに基づき、再生位置情報ＴＩ１を、サーバ装置３０へ送信する（ステップＳ１１１）。
【００７５】
次にアクセス部２０１は、コンテンツ記録データＣＮＴＤＡＴＡ内の第一コンテンツＣＮＴ１を全て出力したか否か判断し（ステップＳ１１２）、第一コンテンツＣＮＴ１を全て出力した場合（ステップＳ１１２でＹＥＳ）、図１１のフローチャートに戻る。
第一コンテンツＣＮＴ１を全て出力していない場合（ステップＳ１１２でＮＯ）、アクセス部２０１は、ステップＳ１０２に戻り処理を続ける。
【００７６】
３．サーバ装置３０の動作
ここでは、図１３に示すフローチャートを用いて、サーバ装置３０による処理の動作について説明する。なお、ここで説明する動作は図１１に示したフローチャートのステップＳ１２の詳細である。
受信部３０１は、ネットワーク５０を介して第一再生装置２０から再生位置情報ＴＩ１を受信したか否かを監視しており（ステップＳ１５１）、再生位置情報ＴＩ１を受信しない場合（ステップＳ１５１でＮＯ）、図１１のフローチャートのステップＳ１３へ続く。受信部３０１は、再生位置情報ＴＩ１を受信すると（ステップＳ１５１でＹＥＳ）、受信した再生位置情報ＴＩ１からユーザ識別子ＵＩＤ‐１、コンテンツ識別子ＣＩＤ‐１及びカウンタＣＴＲ‐ｎを抽出する（ステップＳ１５２）。
【００７７】
受信部３０１は、再生位置情報ＴＩ１から抽出したユーザ識別子ＵＩＤ‐１を送信先情報取得部３０２へ出力し（ステップＳ１５３）、再生位置情報ＴＩ１から抽出したコンテンツ識別子ＣＩＤ‐１とカウンタＣＴＲ‐ｎとを、コンテンツ取得部３０４へ出力する（ステップＳ１５４）。
送信先情報取得部３０２は、受信部３０１から受け取ったユーザ識別子ＵＩＤ‐１に対応する送信先情報ＡＤＲ‐１を、送信先情報格納部３０３から取得し、取得した送信先情報ＡＤＲ‐１を送信部３０６へ出力する。（ステップＳ１５５）。具体的には、送信先情報取得部３０２は、送信先情報格納部３０３を参照して、ユーザ識別子ＵＩＤ‐１と対応付けられて記憶されている送信先情報ＡＤＲ‐１を抽出する。
【００７８】
また、コンテンツ取得部３０４は、受信部３０１から受け取ったコンテンツ識別子ＣＩＤ‐１及びカウンタＣＴＲ‐ｎに基づき、コンテンツ格納部３０５から第二コンテンツＣＮＴ２‐１‐ｎを取得し、取得した第二コンテンツＣＮＴ２‐１‐ｎを送信部３０６へ出力する（ステップＳ１５６）。具体的には、コンテンツ取得部３０４は、コンテンツ格納部３０５に格納されている複数個のコンテンツ群から、コンテンツ識別子ＣＩＤ‐１により識別される第一コンテンツＣＮＴ１に対応する第１コンテンツ群３０５ａを特定する。続いて、コンテンツ取得部３０４は、特定された第１コンテンツ群３０５ａから、カウンタＣＴＲ‐ｎに対応する第二コンテンツＣＮＴ２‐１‐ｎを特定し、抽出する。
【００７９】
次に、送信部３０６は、送信先情報取得部３０２から送信先情報ＡＤＲ‐１を受け取り、コンテンツ取得部３０４から第二コンテンツＣＮＴ２‐１‐ｎを受け取る。送信部３０６は、送信先情報ＡＤＲ‐１に基づき、第二コンテンツＣＮＴ２‐１‐ｎを、ネットワーク５０経由で第二再生装置４０へ送信する（ステップＳ１５７）。その後、図１１のフローチャートに戻る。
【００８０】
３．第二再生装置４０の動作
ここでは、図１４に示すフローチャートを用いて第二再生装置４０による処理の動作について説明する。なお、此処で説明する動作は、図１１に示したフローチャートのステップＳ１３の詳細である。
第二再生装置の送受信部４０１は、ネットワーク５０を介してサーバ装置３０から第二コンテンツＣＮＴ２‐１‐ｎを受信したか否か監視しており、第二コンテンツＣＮＴ２‐１‐ｎを受信しない場合（ステップＳ２０１でＮＯ）、図１１のフローチャートに戻る。送受信部４０１は、第二コンテンツＣＮＴ２‐１‐ｎを受信した場合（ステップＳ２０１でＹＥＳ）、受信した第二コンテンツＣＮＴ２‐１‐ｎをデコード部４０２へ出力する（ステップＳ２０２）。デコード部４０２は、第二コンテンツＣＮＴ２‐１‐ｎを受け取り、受け取った第二コンテンツＣＮＴ２‐１‐ｎをデコードして、デコードした第二コンテンツＣＮＴ２‐１‐ｎを表示部４０３へ出力する（ステップＳ２０３）。表示部４０３は、待ち受けのステイタスの間、受け取った第二コンテンツＣＮＴ２‐１‐ｎを液晶画面に表示する。続いて、図１１のフローチャートに戻る。
【００８１】
＜その他の変形例＞
なお、本発明を上記実施の形態に基づき説明してきたが、本発明は、上記実施の形態に限定されないのは勿論であり、以下の様な場合も本発明に含まれる。
（１）記録媒体１０は、ＤＶＤ‐ＲＯＭに限定されない。記録媒体１０は、再生専用のＢＤ（Ｂｌｕ‐ｒａｙ  Ｄｉｓｃ）やＣＤ‐ＲＯＭ等であっても良い。
【００８２】
また、記録媒体１０に格納されている第一コンテンツＣＮＴ１は、映画に限定されない。第一再生装置２０で再生可能なフォーマットであれば、静止画データ、動画データ、音楽データなどであっても良い。
（２）記録媒体１０は、図１５に示す様に、コンテンツ記録データＣＮＴＤＡＴＡ内にサーバアドレスＳ‐ＡＤＲが書かれていてもよい。
【００８３】
第一再生装置２０のアクセス部２０１は、記録媒体１０にサーバアドレスＳ‐ＡＤＲが書かれているか否か判断し、書かれている場合には、記録媒体１０からサーバアドレスＳ‐ＡＤＲを読み出し、書かれていない場合には、サーバアドレス入力部２０８が操作部２０９を介してサーバアドレスＳ‐ＡＤＲの入力を受け付けるように構成してもよい。また、サーバアドレスＳ‐ＡＤＲは、第一再生装置２０が予め保持していてもよい。
【００８４】
（３）第二コンテンツＣＮＴ２‐１‐ｎは、壁紙データに限定されず、映画である第一コンテンツＣＮＴ１に対応する字幕データなどであってもよい。また、第二コンテンツＣＮＴ２‐１‐ｎは、第二再生装置４０で再生可能なフォーマットであれば、動画データ、音楽データ、テキストデータ、掲示板データなどであっても良い。動画データである場合、携帯電話機へ送信するのに適した圧縮符号化規格であるＭＰＥＧ‐４のフォーマットを用いてもよい。
【００８５】
（４）第一再生装置２０は、ＤＶＤプレーヤとディスプレィとを備えるＤＶＤシステムに限定されない。パーソナルコンピュータ等でも良い。また、第二再生装置４０は、携帯電話機に限定されない、ＰＤＡやパーソナルコンピュータ等でも良い。
また、第一再生装置２０と第二再生装置４０とが一台の装置であってもよい。つまり、第一再生装置２０が第一コンテンツＣＮＴ１を再生中に、サーバ装置３０に再生位置情報ＴＩ１を送信し、再生位置情報ＴＩ１を受信したサーバ装置３０が第一コンテンツＣＮＴ１に関連する第二コンテンツＣＮＴ２‐１‐ｎを、第一再生装置２０に返送するように構成しても良い。
【００８６】
また、この場合、第一再生装置２０は、再生中の第一コンテンツＣＮＴ１とサーバ装置３０から受信した第二コンテンツＣＮＴ２‐１‐ｎとを連携させて同時に再生するように構成しても良い。これにより、第一コンテンツＣＮＴ１は映画であり、第二コンテンツＣＮＴ２‐１‐ｎは字幕データである場合などに、第一再生装置２０は、映画と字幕データとを同時に画面に表示することができる。
【００８７】
（５）第一再生装置２０は、記録媒体１０からコンテンツ記録データＣＮＴＤＡＴＡを取得する構成を有するが、第一再生装置２０は、ネットワークを介してコンテンツ記録データＣＮＴＤＡＴＡを取得してもよい。
（６）第一再生装置２０は、ユーザの操作による要求情報ＲＥＱを受け取るか否かに関わらず、再生位置情報ＴＩ１を生成し、生成した再生位置情報ＴＩ１をサーバ装置３０に送信するように構成してもよい。
【００８８】
例えば、第一再生装置２０は、映画を再生しながら、１０秒毎に再生位置情報ＴＩ１を生成して、サーバ装置３０へ送信する。これにより、ユーザが要求情報ＲＥＱを第一再生装置２０へ入力しなくても、第二再生装置４０はネットワークコンテンツを取得出来るようになる。更には、第一再生装置２０によるパッケージコンテンツの再生と、第二再生装置４０によるネットワークコンテンツの再生とを連動して行うことができるようになる。
【００８９】
（７）第一再生装置２０の制御部２０６は、要求情報入力部２０５から受け取った要求情報ＲＥＱに基づき生成した再生位置情報ＴＩ１を、すぐに送信部２０７を介してサーバ装置３０へ送信せずに蓄積しておき、第一コンテンツＣＮＴ１の再生終了後に、蓄積した複数の再生位置情報の中から、サーバ装置３０へ送信する再生位置情報の選択をユーザから受け付けるように構成してもよい。このとき第一再生装置２０は、蓄積した複数の再生位置情報に基づき、図１６（Ａ）に示す様なサムネイル画像を生成し、出力部２１０に表示するように構成してもよい。
【００９０】
この構成によると、例えば、ユーザは映画を再生中に、興味のある場面を複数選択でき、再生終了後に複数のサムネイル画像の中から本当に第二コンテンツを取得したいと思う場面を選択することができる。また、ユーザは映画の再生中は、映画の鑑賞に集中し、映画の鑑賞を終えてから図１６（Ｂ）に示すように第二再生装置４０でネットワークコンテンツである壁紙データを取得することができる。
【００９１】
（８）第一再生装置２０は、再生している第一コンテンツＣＮＴ１の画面内における位置を特定する情報を含む要求情報ＲＥＱを受け付け、更に、サーバ装置３０へ送信する再生位置情報ＴＩ１に画面内位置を含むように構成してもよい。
これにより、第一再生装置２０は、サーバ装置３０に対して、ユーザが所望する画面を示す再生位置情報だけでなく、画面上のどの表示位置に関連するネットワークコンテンツが欲しいのかを通知することが可能になり、コンテンツ提供者は、ユーザの細かなニーズに応じたネットワークコンテンツを提供することが可能になる。
【００９２】
例えば、ユーザは、マウス等を用いて再生中の第一コンテンツＣＮＴ１における画面上の所望の箇所を指定する。制御部２０６は、指定された箇所を示す画面内位置を取得する。制御部２０６は、取得した画面内位置を再生位置情報ＴＩ１に含め、送信部２０７を介してサーバ装置３０へ送信する。
【００９３】
更に、第一再生装置２０の操作部２０９は、再生中の第一コンテンツＣＮＴ１に登場する登場人物や登場物等について、「これは何ですか？」又は「これは誰ですか？」等の質問事項を選択できるボタンを備えるように構成してもよい。ユーザは画面上の所望の箇所を指定し、更に「これは誰ですか？」ボタンを押下すると、サーバ装置３０からその登場人物のプロフィールが送信されたり、画面上の所望の箇所を指定し、更に「これは何ですか？」ボタンを押下すると、サーバ装置３０からその登場物の詳細情報や関連ＵＲＬ等を送信されたりする。
【００９４】
（９）第一再生装置２０は、再生位置を特定する情報としてカウンタＣＴＲを用いているが、再生位置を特定する情報はカウンタＣＴＲに限定されない。例えば、コンテンツ記録データＣＮＴＤＡＴＡが光ディスクに格納されている場合、再生位置を特定する情報として、光ディスクのセクタ番号、トラック番号及びマルチアングル用のアングル番号などを用いても良い。また、セクタ番号、トラック番号及びマルチアングル用のアングル番号とカウンタＣＴＲとを組み合わせた情報を用いても良い。
【００９５】
これにより、第一コンテンツＣＮＴ１が分岐を持ち、予め用意されている複数のシナリオの内、ユーザが一つを選択するようなコンテンツである場合、又は、第一コンテンツＣＮＴ１がマルチアングルなどのように複数の映像から構成されているような場合であっても、第一再生装置２０はサーバ装置３０に再生位置情報を正確に通知することができる。
（１０）第一再生装置２０は、要求情報ＲＥＱの入力に伴い、再生中の第一コンテンツＣＮＴ1に対するユーザの興味の度合いを示す情報の入力を受け付けてもよい。更に、第一再生装置２０は、再生位置情報ＴＩ１に、ユーザから受け付けた第一コンテンツＣＮＴ１に対するユーザの興味の度合いを示す情報を含めてサーバ装置３０へ送信するように構成してもよい。これにより、コンテンツ提供者はユーザの興味の度合いに応じたネットワークコンテンツを提供できるようになる。
【００９６】
例えばユーザは、キーパッドなどを用いて再生中の映画に対する興味の度合いを点数化して入力する。第一再生装置２０は、入力された点数をサーバ装置３０へ送信する。ユーザが入力した点数が高かった場合、サーバ装置３０は、第一コンテンツＣＮＴ１と似たタイプの内容の映画タイトルを第一再生装置２０へ送信し、点数が低かった場合、第一コンテンツＣＮＴ１と異なるタイプの内容の映画タイトルを第一再生装置２０へ送信する。
【００９７】
（１１）第一再生装置２０の制御部２０６は、現在出力部２１０が出力している第一コンテンツＣＮＴ１の一部分を、アクセス部２０１を介して抽出できる機能を備えるように構成してもよい。更に、第一再生装置２０がサーバ装置３０へ送信する再生位置情報ＴＩ１のカウンタＣＴＲ‐ｎを、制御部２０６が抽出した第一コンテンツＣＮＴ１の一部分に置き換えてもよい。
【００９８】
即ち、第一再生装置２０は、操作部２０９を介して要求情報ＲＥＱを受信すると、第一コンテンツＣＮＴ１の現在再生中の一部分を抽出し、抽出した第一コンテンツＣＮＴ１の一部分を再生位置情報ＴＩ１に含めてサーバ装置３０へ送信する。サーバ装置３０は、再生位置情報ＴＩ１を受信し、再生位置情報ＴＩ１に含まれる第一コンテンツＣＮＴ１の一部分を抽出する。サーバ装置３０は、抽出した第一コンテンツＣＮＴ１の一部分に、何らかの変換処理を施して第二コンテンツＣＮＴ２を生成し、生成した第二コンテンツＣＮＴ２を第二再生装置４０へ送信する。
【００９９】
この構成によると、サーバ装置３０は、予め複数の第二コンテンツを生成し、格納し、管理しておく必要が無くなる。
（１２）第一再生装置２０は、要求情報入力部２０５が要求情報ＲＥＱを受信した後で、送信部２０７が再生位置情報ＴＩ１をサーバ装置３０へ送信するまでの間に、ユーザが、ネットワークコンテンツの要求をキャンセル出来るような仕組みを備えていてもよい。
【０１００】
また、システム全体において、第一再生装置２０の要求情報入力部２０５が要求情報ＲＥＱを受信した後で、サーバ装置３０がネットワークコンテンツを第二再生装置４０へ送信するまでの間に、ユーザが、ネットワークコンテンツの要求をキャンセル出来るような仕組みを備えてもよい。
（１３）第一再生装置２０は、送信部２０７を含まず、出力部２１０が再生位置情報ＴＩ１を外部に出力するように構成してもよい。また、第二再生装置４０は、再生位置情報ＴＩ１を入力できる入力部と、再生位置情報ＴＩ１を送信する送信部とを備えるように構成してもよい。ユーザは、第一再生装置２０の出力部２１０から出力された再生位置情報ＴＩ１を、第二再生装置４０の入力部へ入力する。第二再生装置４０は、入力された再生位置情報ＴＩ１をサーバ装置３０へ送信することによりネットワークコンテンツを要求するように要求してもよい。
【０１０１】
この構成によると、第一再生装置２０がネットワーク５０に接続されていない場合であっても、第二再生装置４０は、第一再生装置２０で再生している第一コンテンツＣＮＴ１に関連するネットワークコンテンツを取得することができる。
なお、第一再生装置２０から外部に出力される再生位置情報ＴＩ１は、ビデオ録画等に用いられるＧコードや、新世代のバーコードであるＱＲ（Ｑｕｉｃｋ  Ｒｅｓｐｏｎｓｅ）コードを用いてもよい。
【０１０２】
（１４）サーバ装置３０は、第一再生装置２０から複数の再生位置情報を受信し、受信した複数の再生位置情報のそれぞれに対応する複数のネットワークコンテンツを組み合わせて新たなネットワークコンテンツを作成し、作成した新たなネットワークコンテンツを第二再生装置４０へ送信するように構成してもよい。
例えば、ユーザは、第一再生装置２０で映画を再生中に、好みの出演者が出演している場面毎に要求情報ＲＥＱを第一再生装置２０に入力する。第一再生装置２０は、要求情報ＲＥＱを受け取る都度、再生位置情報を生成してサーバ装置３０へ送信する。サーバ装置３０は、第一再生装置２０から受信した複数の再生位置情報に基づき、対応する複数の場面に関する静止画データを取得し、取得した複数の静止画データから一つの静止画アルバムデータを作成する。サーバ装置３０は、作成した静止画アルバムデータを第二コンテンツとして第二再生装置４０に送信するように構成してもよい。
【０１０３】
（１５）サーバ装置３０は、第二再生装置４０に第二コンテンツＣＮＴ２‐1‐ｎを提供する際に、第一再生装置２０又は第二再生装置４０を保持するユーザに課金を行うように構成してもよい。このときユーザを特定する情報としてユーザ識別子ＵＩＤ‐１を利用してもよい。
なお、サーバ装置３０は、課金処理を行った後で第二コンテンツＣＮＴ２‐1‐ｎを送信しても良いし、第二コンテンツＣＮＴ２‐1‐ｎを送信した後で課金処理を行っても良い。
【０１０４】
また、金額の設定については様々なバラエティが考えられる。例えば、見本コンテンツと商品コンテンツとの金額を変えたり、利用可能回数により金額を変えたりすることが考えられる。より具体的には、見本コンテンツである小さな画像ファイルは無料で提供し、見本コンテンツと比較して鮮明且つ大きな画像ファイルである商品コンテンツについては有料で提供する。また、一回目は壁紙データを無料で提供し、二回目以降は壁紙データを有料で提供するなどが考えられる。
【０１０５】
（１６）サーバ装置３０は送信先情報格納部３０３を含まず、送信先情報取得部３０２は、ネットワーク５０を介して外部から送信先情報ＡＤＲ‐１を取得するように構成してもよい。また、サーバ装置３０はコンテンツ格納部３０５を含まず、コンテンツ取得部３０４は、ネットワーク５０を介して外部から第二コンテンツＣＮＴ２‐1‐ｎを取得するように構成してもよい。
【０１０６】
（１７）サーバ装置３０から第二再生装置４０へ、第二コンテンツＣＮＴ２‐1‐ｎを送信する際に用いるネットワークは、第一再生装置２０がサーバ装置３０へ再生位置情報ＴＩ１を送信する際に用いるネットワーク５０と異なるネットワークであってもよい。
例えば、第一再生装置２０からサーバ装置３０へは、専用線を用いて再生位置情報ＴＩ１を送信し、サーバ装置３０から第二再生装置４０までは、インターネットを用いて第二コンテンツＣＮＴ２‐1‐ｎを送信するように構成してもよい。
【０１０７】
（１８）第一再生装置２０と第二再生装置４０とは、同一のユーザが所有する装置でない場合も本発明に含まれる。
（１９）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０１０８】
また、本発明は、前記コンピュータプログラム又は前記デジタル信号をコンピュータ読み取り可能な記録媒体、例えば、フレキシブルディスク、ハードディスク、ＣＤ‐ＲＯＭ、ＭＯ、ＤＶＤ、ＤＶＤ‐ＲＯＭ、ＤＶＤ‐ＲＡＭ、ＢＤ（Ｂｌｕ‐ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１０９】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１１０】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２０）上記実施の形態及び上記変形例をそれぞれ組み合わせる構成も本発明に含まれる。
≪第２の実施の形態≫
本発明に係る第２の実施の形態として、コンテンツ関連情報提供システム２について説明する。
【０１１１】
コンテンツ関連情報提供システム２において、再生装置は、記録媒体に格納されたコンテンツを再生しながら、ネットワークを介して取得した掲示版データを表示する。ユーザは、掲示板データの書き込みを参照しながら、再生位置を変更してコンテンツを視聴することができる。
＜構成＞
ここでは、コンテンツ関連情報提供システム２の構成について説明する。
【０１１２】
図１７は、コンテンツ関連情報提供システム２の構成を示すシステム構成図である。同図に示す様に、コンテンツ関連情報提供システム２は、記録媒体６０、再生装置７０及びサーバ装置８０から構成される。
再生装置７０及びサーバ装置８０は、ネットワーク５０に接続しており、記録媒体６０は、再生装置７０に装着して用いられる。なお、ネットワーク５０の具体例はインターネットである。
【０１１３】
１．記録媒体６０
記録媒体６０は、予め内部にコンテンツ記録データＣＮＴＤＡＴＡを格納している可搬媒体であり、具体的には、ＤＶＤ‐ＲＯＭである。
図１８は、記録媒体６０に格納されているコンテンツ記録データＣＮＴＤＡＴＡを示す図である。同図に示す様に、コンテンツ記録データＣＮＴＤＡＴＡは、コンテンツ識別子ＣＩＤ‐１と第一コンテンツＣＮＴ１とから構成される。
【０１１４】
第一コンテンツＣＮＴ１は、具体的には、ＭＰＥＧ‐２フォーマットで映画を圧縮符号化して生成したコンテンツデータである。なお、ここで用いられているＭＰＥＧ‐２は一例であり、再生装置７０で再生可能なフォーマットであればＭＰＥＧ‐２に限定されない。
コンテンツ識別子ＣＩＤ‐１は、第一コンテンツＣＮＴ１を一意に識別するために用いられる符号又は文字列等である。ここでは具体的にコンテンツ識別子ＣＩＤ‐１は、第一コンテンツＣＮＴ１の映画タイトルであるとする。なお、コンテンツ識別子ＣＩＤ‐１として、第一コンテンツＣＮＴ１の映画タイトルではなく、記録媒体６０を一意に識別するディスク番号を用いてもよい。
【０１１５】
２．再生装置７０
図１９は、再生装置７０の構成を機能的に示す機能ブロック図である。同図に示す様に、再生装置７０は、第一制御部７０１、デコード部７０２、コンテンツ識別子格納部７０３、ユーザ情報格納部７０４、要求情報入力部７０５、第二制御部７０６、送信部７０７、受信部７０８、許可情報入力部７０９、サーバアドレス入力部７１０、操作部７１１及び出力部７１２から構成される。
【０１１６】
再生装置７０は、具体的にはＤＶＤプレーヤとディスプレィユニットとから構成されるＤＶＤシステムであり、より具体的には、マイクロプロセッサ、ＲＯＭ、ＲＡＭ、ハードディスクユニット、ネットワーク接続ユニット、ＭＰＥＧデコーダ等を備えるコンピュータシステムである。
（１）第一制御部７０１
第一制御部７０１は、マイクロプロセッサ、ＲＯＭ、ＲＡＭ等から構成される制御ユニットと、ターンテーブル、光ピックアップ、トラックバッファ等から構成されるＤＶＤ‐ＲＯＭドライブユニットとから構成される。
【０１１７】
第一制御部７０１は、ターンテーブルに記録媒体６０が装着されると、記録媒体６０に格納されているコンテンツ記録データＣＮＴＤＡＴＡから、コンテンツ識別子ＣＩＤ‐１を抽出し、抽出したコンテンツ識別子ＣＩＤ‐１をコンテンツ識別子格納部７０３へ出力する。続いて、第一制御部７０１は、記録媒体６０に格納されている第一コンテンツＣＮＴ１を逐次読み出し、読み出した第一コンテンツＣＮＴ１をデコード部７０２へ出力する。
【０１１８】
また、第一制御部７０１は、受信部７０８から図２４に示す掲示板情報ＢＢＳ１を受け取る。掲示板情報ＢＢＳ１は、第一コンテンツＣＮＴ１に関する電子掲示板を生成するための情報であって、図２４に示すように、複数個の書込情報から構成され、各書込情報は再生位置情報を含む。第一制御部７０１は、受け取った掲示板情報ＢＢＳ１から再生位置情報を抽出し、抽出した再生位置情報を内部の記憶領域に保持しておき、再生位置情報以外をデコード部７０２へ出力する。なお、再生位置情報以外の掲示板情報ＢＢＳ１は、デコード部７０２を介して、図２０に示す様な結合コンテンツＣＭＢＣＮＴの一部として出力部７１２に表示される。
【０１１９】
第一制御部７０１は、出力部７１２が図２０に示す結合コンテンツＣＭＢＣＮＴを表示している状態において、許可情報入力部７０９から許可情報ＰＲＭを受け取る。
ここでは具体的に、第一制御部７０１は、再生ボタン７２１ａが選択されたことを示す許可情報ＰＲＭを受け取る場合を考える。第一制御部７０１は、再生ボタン７２１ａが選択されたことを示す許可情報ＰＲＭを受け取ると、記録媒体６０から第一コンテンツＣＮＴ１を抽出するのを一旦停止し、更に、第一コンテンツＣＮＴ１及び掲示板情報ＢＢＳ１をデコード部７０２へ出力するのを一旦停止する。第一制御部７０１は、選択された再生ボタン７２１ａに対応する再生位置情報ＴＩ１‐１を内部の記憶領域から読み出す。
【０１２０】
再生位置情報ＴＩ１‐１は、図２１に示すように、コンテンツ識別子ＣＩＤ‐１及びカウンタＣＴＲ‐ｎを含む。カウンタＣＴＲ‐ｎは、書込情報７２１で情報提供されている［私のお薦め場面］の抽出位置を示す情報であり、第一コンテンツＣＮＴ１を先頭から再生した場合に、目的の抽出位置まで到達するのに要する時間である。
第一制御部７０１は、再生位置情報ＴＩ１‐１が示すカウンタＣＴＲ‐ｎに基づき第一コンテンツＣＮＴ１の抽出位置を変更して第一コンテンツＣＮＴ１の抽出を再開する。その後、第一制御部７０１は、記録媒体６０から抽出した第一コンテンツＣＮＴ１及び掲示板情報ＢＢＳ１のデコード部７０２へ出力を再開する。
【０１２１】
（２）デコード部７０２
デコード部７０２は、ＭＰＥＧ‐２ビデオデコーダ、ＭＰＥＧ‐２オーディオデコーダ、ビデオバッファ、オーディオバッファ等を備える。
デコード部７０２は、第一制御部７０１から逐次出力される第一コンテンツＣＮＴ１を、ビデオデータとオーディオデータとに分離する。デコード部７０２は、分離したビデオデータを、ＭＰＥＧ‐２ビデオデコーダを用いて映像信号に伸長し、分離したオーディオデータを、ＭＰＥＧ‐２オーディオデコーダを用いて音声信号に伸長する。デコード部７０２は、伸長した映像信号と音声信号とを、逐次出力部７１２へ出力する。
【０１２２】
また、デコード部７０２は、第一制御部７０１から第一コンテンツＣＮＴ１と掲示板情報ＢＢＳ１とが出力されると、図２０に示す様に、第一コンテンツＣＮＴ１と掲示板情報ＢＢＳ１とを一画面表示できるように第一コンテンツＣＮＴ１の表示サイズを縮小して映像信号を生成する。デコード部７０２は、縮小した映像信号、音声信号及び掲示板情報ＢＢＳ１を出力部７１２へ出力する。
【０１２３】
なお、デコード部７０２は、ソフトウェアにより実現されてもよいし、ハードウェアにより実現されてもよい。
（３）コンテンツ識別子格納部７０３
コンテンツ識別子格納部７０３は、コンテンツ識別子を格納するための記憶領域を備え、第一制御部７０１からコンテンツ識別子ＣＩＤ‐１を受け取ると、受け取ったコンテンツ識別子ＣＩＤ‐１を記憶領域に格納する。
【０１２４】
（４）ユーザ情報格納部７０４
ユーザ情報格納部７０４は、ユーザ識別子ＵＩＤ‐１´を保持する。ユーザ識別子ＵＩＤ‐１´は、再生装置７０のユーザを一意に識別するための識別子である。ここでは、具体的にユーザ識別子ＵＩＤ‐１´として、再生装置７０の製造時にユーザ情報格納部７０４に書き込まれた装置固有の製造番号を用いるものとする。
【０１２５】
なお、ユーザ識別子ＵＩＤ‐１´は、装置固有の製造番号に限定されず、ユーザのクレジットカード番号などを用いてもよい。この場合、ユーザは、再生装置７０の初期設定時に操作部７１１を介して自身のクレジットカード番号を入力し、入力されたクレジットカード番号を、第二制御部７０６がユーザ情報格納部７０４に格納するように構成してもよい。
【０１２６】
また、ユーザ識別子ＵＩＤ‐１´は、ユーザがＷｅｂービスなどを介して、コンテンツ提供者の登録サーバに、ユーザ登録を行うことにより取得する識別子であってもよい。ユーザは、登録サーバから取得したユーザ識別子ＵＩＤ‐１´を、操作部７１１を介して再生装置７０に入力するように構成してもよい。
（５）要求情報入力部７０５
要求情報入力部７０５は、具体的には赤外線受光部等から構成される。要求情報入力部７０５は、操作部７１１から赤外線信号で送信される要求情報ＲＥＱを受信し、受信した要求情報ＲＥＱを第二制御部７０６へ出力する。
【０１２７】
要求情報ＲＥＱは、出力部７１２が第一コンテンツＣＮＴ１を再生中に、操作部７１１がユーザに操作されることにより生成される情報であり、第一コンテンツＣＮＴ１に関する掲示板情報ＢＢＳ１を取得して表示することを示す情報である。
（６）第二制御部７０６
第二制御部７０６は、マイクロプロセッサ、ＲＯＭ、ＲＡＭ等から構成される。第二制御部７０６は、要求情報入力部７０５から要求情報ＲＥＱを受け取ると、コンテンツ識別子格納部７０３からコンテンツ識別子ＣＩＤ‐１を取得し、ユーザ情報格納部７０４からユーザ識別子ＵＩＤ‐１´を取得する。第二制御部７０６は、取得したコンテンツ識別子ＣＩＤ‐１及びユーザ識別子ＵＩＤ‐１´から、図２２に示す掲示板要求情報ＲＥＱＢＢＳを作成し、生成した掲示板要求情報ＲＥＱＢＢＳを送信部７０７へ出力する。
【０１２８】
（７）送信部７０７
送信部７０７は、第二制御部７０６から掲示板要求情報ＲＥＱＢＢＳを受け取る。更に、送信部７０７は、サーバアドレス入力部７１０からサーバアドレスＳ´‐ＡＤＲを受け取る。送信部７０７は、ネットワーク５０経由で、サーバアドレスＳ´‐ＡＤＲ宛てに掲示板要求情報ＲＥＱＢＢＳを送信する。
【０１２９】
（８）受信部７０８
受信部７０８は、サーバ装置８０からネットワーク５０経由で掲示板情報ＢＢＳ１を受信し、受信した掲示板情報ＢＢＳ１を、第一制御部７０１へ出力する。掲示板情報ＢＢＳ１の詳細は後述する。
（９）許可情報入力部７０９
許可情報入力部７０９は、赤外線受光部などを備え、操作部７１１から赤外線を用いて出力される許可情報ＰＲＭを受信する。
【０１３０】
許可情報ＰＲＭは、図２０に示す結合コンテンツＣＭＢＣＮＴが出力部７１２に表示されている状態において、操作部７１１のボタンがユーザに押下されることにより生成される情報である。例えば、許可情報ＰＲＭは、図２０の再生ボタン７２１ａが選択されたことを示す情報であって、現在再生中の第一コンテンツＣＮＴ１の再生位置を、書込情報７２１に含まれるコメントに対応する再生位置に変更することを示す情報である。
【０１３１】
（１０）サーバアドレス入力部７１０
サーバアドレス入力部７１０は、具体的には赤外線受光部等から構成される。サーバアドレス入力部７１０は、操作部７１１から赤外線信号で送信されるサーバアドレスＳ´‐ＡＤＲを受信し、受信したサーバアドレスＳ´‐ＡＤＲを送信部７０７へ出力する。なお、サーバアドレスＳ´‐ＡＤＲは、サーバ装置８０のネットワーク上のアドレスであり、例えば、メールアドレスやＩＰアドレスである。
【０１３２】
（１１）操作部７１１
操作部７１１は、複数のボタンなどを備える操作面と、赤外線発光部とから構成され、再生装置７０の遠隔操作を行うために用いられるリモートコントロール装置である。操作部７１１は、操作面上のボタンがユーザにより押下されると、押下されたボタンに対応する操作信号を生成し、生成した操作信号を、赤外線を用いて再生装置７０の赤外線受光部に送信する。
【０１３３】
操作部７１１が生成する操作信号の具体例は、要求情報ＲＥＱ、サーバアドレスＳ´‐ＡＤＲ及び許可情報ＰＲＭである。操作部７１１は、出力部７１２による第一コンテンツＣＮＴ１の再生中に、ユーザから、特定のボタンが押下されると、要求情報ＲＥＱを生成し、生成した要求情報ＲＥＱを要求情報入力部７０５へ送信する。また、操作部２０９は、ユーザからサーバアドレスＳ´‐ＡＤＲの入力を受け付け、受け付けたサーバアドレスＳ´‐ＡＤＲをサーバアドレス入力部２０８へ送信する。また、操作部７１１は、出力部７１２による結合コンテンツＣＭＢＣＮＴの再生中に、ユーザから、方向キーや特定のボタンが押下されることにより、書込情報７２１に含まれる再生ボタン７２１ａの選択を示す許可情報ＰＲＭを生成し、生成した許可情報ＰＲＭを許可情報入力部７０９へ送信する。
【０１３４】
（１２）出力部７１２
出力部７１２は、具体的には、ディスプレィ及びスピーカ等を含むディスプレィユニットである。出力部７１２は、デコード部７０２から出力される映像信号を逐次ディスプレィに表示し、デコード部７０２から出力される音声信号を逐次スピーカに出力する。
なお、出力部７１２は、第一コンテンツＣＮＴ１をデコードして生成した映像信号と、サーバ装置８０から取得した掲示板情報ＢＢＳ１とをデコード部７０２から受け取ると、図２０に示すように左半分に第一コンテンツＣＮＴ１を出力し、右半分に掲示板情報ＢＢＳ１を出力し、ディスプレィに結合コンテンツＣＭＢＣＮＴを表示する。掲示板情報ＢＢＳ１は、複数個の書込情報を含み、各書込情報は、題名、コメント及び再生ボタンから構成される。
【０１３５】
例えば、図２０の書込情報７２１は、題名「私のお薦め場面」、コメント「私のおすすめ場面は、この場面です。」及び再生ボタン７２１ａから構成される。ユーザにより再生ボタン７２１ａが選択されると、出力部７１２は、第一コンテンツＣＮＴ１の再生位置を、それまで再生していた場面から前記のコメントに対応する場面へ変更して表示する。また、書込情報７２２は、題名「感動場面」、コメント「この場面で、私は泣けました。」及び再生ボタン７２２ａから構成される。ユーザにより再生ボタン７２２ａが選択されると、出力部７１２は、第一コンテンツＣＮＴ１の再生位置を、それまで再生していた場面から前記のコメントに対応する場面へ変更して表示する。
【０１３６】
３．サーバ装置８０
サーバ装置８０は、コンテンツに関する電子掲示板をネットワーク上で提供する掲示板サーバであって、ネットワーク上のアドレスＳ´‐ＡＤＲを有する。
図２３は、サーバ装置８０の構成を機能的に示す機能ブロック図である。同図に示すように、サーバ装置８０は、受信部８０１、送信先情報取得部８０２、送信先情報格納部８０３、掲示板情報取得部８０４、掲示板情報格納部８０５及び送信部８０６から構成される。
【０１３７】
サーバ装置８０は、具体的にはマイクロプロセッサ、ＲＯＭ、ＲＡＭ、ハードディスクユニット、ネットワーク接続ユニットなどを備えるコンピュータシステムである。
（１）受信部８０１
受信部８０１は、ネットワーク接続ユニットを備え、ネットワーク５０を介して再生装置７０から掲示板要求情報ＲＥＱＢＢＳを受信する。掲示板要求情報ＲＥＱＢＢＳは、図２２に示した様に、ユーザ識別子ＵＩＤ‐１´とコンテンツ識別子ＣＩＤ‐１とから構成される。受信部８０１は、受信した掲示板要求情報ＲＥＱＢＢＳからユーザ識別子ＵＩＤ‐１´を抽出して、送信先情報取得部８０２へ出力する。また、受信部８０１は、受信した掲示板要求情報ＲＥＱＢＢＳからコンテンツ識別子ＣＩＤ‐１を抽出して、掲示板情報取得部８０４へ出力する。
【０１３８】
（２）送信先情報取得部８０２
送信先情報取得部８０２は、受信部８０１から出力されるユーザ識別子ＵＩＤ‐１´を受け取り、受け取ったユーザ識別子ＵＩＤ‐１に対応する送信先情報ＡＤＲ‐１´を、送信先情報格納部８０３から取得する。
（３）送信先情報格納部８０３
送信先情報格納部８０３は、ユーザ識別子と送信先情報とを１対１に対応付けて記憶している。ここで、送信先情報は、対応するユーザ識別子により識別される装置のネットワーク上のアドレスであって、例えばメールアドレスやＩＰアドレスである。具体例として、送信先情報格納部８０３は、ユーザ識別子ＵＩＤ‐１´に対応付けて、送信先情報ＡＤＲ‐１´を記憶している。送信先情報ＡＤＲ‐１´は、再生装置７０のネットワーク上のアドレスである。
【０１３９】
なお、ユーザ識別子と送信先情報とは、予めユーザからの登録を受け付けることにより送信先情報格納部８０３に格納される。例えば、ユーザは、郵送やＷｅｂサービス等により予めサーバ装置３０にユーザ識別子と送信先情報とを通知する。
（４）掲示板情報取得部８０４
掲示板情報取得部８０４は、受信部８０１からコンテンツ識別子ＣＩＤ‐１を受け取る。掲示板情報取得部８０４は、受け取ったコンテンツ識別子ＣＩＤ‐１に基づき、後述する掲示板情報格納部８０５から、コンテンツ識別子ＣＩＤ‐１と対応付けられた掲示板情報ＢＢＳ１を取得する。掲示板情報取得部８０４は、取得した掲示板情報ＢＢＳ１を送信部３０６へ出力する。
【０１４０】
（５）掲示板情報格納部８０５
掲示板情報格納部８０５は、図２４に示す様に、コンテンツ識別子と掲示板情報とを対応付けて記憶している。同図によると、コンテンツ識別子ＣＩＤ‐１と掲示板情報ＢＢＳ１、コンテンツ識別子ＣＩＤ‐２と掲示板情報ＢＢＳ２、・・・、コンテンツ識別子ＣＩＤ‐ｋと掲示板情報ＢＢＳｋとが対応付けられている。
【０１４１】
掲示板情報は、対応するコンテンツ識別子により識別されるコンテンツに関連する電子掲示板をネットワーク上で提供するための情報である。以下では掲示板情報ＢＢＳ１を例に説明する。
掲示板情報ＢＢＳ１は、コンテンツ識別子ＣＩＤ‐１により識別される第一コンテンツＣＮＴ１に関連する電子掲示板を提供するための情報である。掲示板情報ＢＢＳ１は、書込情報７２１、書込情報７２２、・・・と複数個の書込情報を含む。各書込情報は、題名、コメント及び再生位置情報から構成される。書込情報７２１は、題名「私のお薦め場面」、コメント「私のおすすめ場面は、この場面です。」及び再生位置情報ＴＩ１‐１から構成される。再生位置情報ＴＩ１‐１は、コメントされている場面の再生位置を示す情報である。書込情報７２２は、題名「感動場面」、コメント「この場面で、私は泣けました。」及び再生位置情報ＴＩ１‐２から構成される。再生位置情報ＴＩ１‐２は、コメントされている場面の再生位置を示す情報である。
【０１４２】
（４）送信部８０６
送信部８０６は、送信先情報取得部８０２から送信先情報ＡＤＲ‐１´を受け取り、掲示板情報取得部８０４から掲示板情報ＢＢＳ１を受け取る。送信部８０６は、ネットワーク５０経由で、送信先情報ＡＤＲ‐１´宛てに、掲示板情報ＢＢＳ１を送信する。
＜動作＞
ここでは、図２５及び図２６に示すフローチャートを用いて、コンテンツ関連情報提供システム２の動作について説明する。
【０１４３】
再生装置７０は装着されている記録媒体６０のコンテンツ記録データＣＮＴＤＡＴＡから、コンテンツ識別子ＣＩＤ‐１を読み出し、コンテンツ識別子格納部７０３に格納する（ステップＳ３００）。第二制御部７０６は、要求情報入力部７０５を介して要求情報ＲＥＱを受け付けたか否か判断する。要求情報ＲＥＱを受け付けない場合（ステップＳ３０１でＮＯ）、ステップＳ３１４に進む。
【０１４４】
要求情報ＲＥＱを受け付ける場合（ステップＳ３０１でＹＥＳ）、第二制御部７０６は、ユーザ情報格納部７０４からユーザ識別子ＵＩＤ‐１´を読み出し、コンテンツ識別子格納部７０３からコンテンツ識別子ＣＩＤ‐１を読み出す。第二制御部７０６は、ユーザ識別子ＵＩＤ‐１´とコンテンツ識別子ＣＩＤ‐１とから掲示板要求情報ＲＥＱＢＢＳを生成する（ステップＳ３０２）。
【０１４５】
第二制御部７０６は、掲示板要求情報ＲＥＱＢＢＳを送信部７０７へ出力し、送信部７０７は、サーバアドレス入力部７１０からサーバアドレスＳ´‐ＡＤＲを取得する（ステップＳ３０３）。送信部７０７は、サーバアドレスＳ´‐ＡＤＲ宛てに掲示板要求情報ＲＥＱＢＢＳを送信し、サーバ装置８０の受信部８０１は、掲示板要求情報ＲＥＱＢＢＳを受信する（ステップＳ３０４）。
【０１４６】
受信部８０１は、掲示板要求情報ＲＥＱＢＢＳからユーザ識別子ＵＩＤ‐１´とコンテンツ識別子ＣＩＤ‐１とを抽出する（ステップＳ３０５）。受信部８０１は、抽出したユーザ識別子ＵＩＤ‐１´を送信先情報取得部８０２へ出力し（ステップＳ３０６）、コンテンツ識別子ＣＩＤ‐１を掲示板情報取得部８０４へ出力する（ステップＳ３０７）。
送信先情報取得部８０２は、送信先情報格納部８０３を参照することにより、ユーザ識別子ＵＩＤ‐１´に対応する送信先情報を取得し、取得した送信先情報を送信部８０６へ出力する（ステップＳ３０８）。掲示板情報取得部８０４は、掲示板情報格納部８０５から、コンテンツ識別子ＣＩＤ‐１に対応する掲示板情報ＢＢＳ１を取得し、取得した掲示板情報ＢＢＳ１を送信部８０６へ出力する（ステップＳ３０９）。
【０１４７】
送信部８０６は、掲示板情報ＢＢＳ１をステップＳ３０８で取得した送信先へ送信し、サーバ装置は処理を終了する。再生装置７０の受信部７０８は、掲示板情報ＢＢＳ１を受信する（ステップＳ３１０）。受信部７０８は、掲示板情報ＢＢＳ１を第一制御部７０１へ出力し、第一制御部７０１は、デコード部７０２を介して掲示板情報ＢＢＳ１を出力部７１２に表示する（ステップＳ３１１）。
【０１４８】
第一制御部７０１は、許可情報入力部７０９を介して許可情報ＰＲＭを受け付けたか否か判断する。許可情報ＰＲＭを受けない場合（ステップＳ３１２でＮＯ）、ステップＳ３１４に進む。
許可情報ＰＲＭを受け付ける場合（ステップＳ３１２でＹＥＳ）、第一制御部７０１は、受け付けた許可情報ＰＲＭに対応する再生位置情報ＴＩ１‐１を取得して、再生位置情報ＴＩ１‐１に含まれるカウンタＣＴＲ‐ｎに基づき、第一コンテンツＣＮＴ１の抽出位置を変更する（ステップＳ３１３）。
【０１４９】
続いて、第一制御部７０１は、記録媒体６０から第一コンテンツＣＮＴ１を逐次抽出してデコード部７０２へ出力する。デコード部７０２は、第一コンテンツＣＮＴ１をデコードする（ステップＳ３１４）。出力部７１２は、デコードされた第一コンテンツＣＮＴ１をディスプレィ及びスピーカに出力する（ステップＳ３１５）。
第一制御部７０１は、第一コンテンツＣＮＴ１を全て出力したか否か判断し、全て出力していない場合（ステップＳ３１６でＮＯ）、ステップＳ３１４に戻り処理を続ける。第一コンテンツＣＮＴ１を全て出力した場合（ステップＳ３１６でＹＥＳ）、再生装置７０は処理を終了する。
【０１５０】
＜その他の変形例＞
なお、本発明を上記実施の形態に基づき説明してきたが、本発明は、上記実施の形態に限定されないのは勿論であり、以下の様な場合も本発明に含まれる。
（１）サーバ装置８０は再生装置７０へ、掲示板情報ＢＢＳ１を提供するのではなく、再生位置情報のみを提供する場合であっても本発明に含まれる。
【０１５１】
例えば、サーバ装置８０はユーザからの要求を受けてサーバ装置８０に対して再生位置情報要求情報ＲＥＱＴＩを送信し、サーバ装置８０は、前記再生位置情報要求情報ＲＥＱＴＩを受信すると、例えばコンテンツ提供者がお薦めする場面の再生位置情報を再生装置７０へ送信するように構成してもよい。
（２）更に、サーバ装置８０が再生装置７０へ送信する再生位置情報は、第一コンテンツＣＮＴ１の再生動作を制御する情報である再生制御情報を含むように構成してもよい。再生装置７０の第一制御部７０１が抽出している第一コンテンツＣＮＴ１の再生位置が、再生位置情報により指定される位置に差し掛かったら、再生制御情報により指定される再生制御を行う様に構成してもよい。
【０１５２】
再生制御情報は、例えば、再生画面にコメントを表示させるための情報や、違う場面に再生位置を変更するための情報などである。
（３）再生装置７０の要求情報入力部７０５が、ユーザの操作を受けて要求情報ＲＥＱを受け取るか否かに関わらず、再生装置７０の第二制御部７０６は、継続的又は定期的にサーバ装置８０に掲示板要求情報ＲＥＱＢＢＳを送信するように構成してもよい。
【０１５３】
また、サーバ装置８０は、第一コンテンツＣＮＴ１の複数の再生位置に対応する複数の掲示板情報を管理しているように構成してもよい。
この構成によると、映画を再生している再生装置７０が、継続的又は定期的にサーバ装置８０に掲示板要求情報ＲＥＱＢＢＳを送信するため、ユーザが要求情報ＲＥＱを再生装置７０へ入力しなくても、再生装置７０は掲示板情報を取得可能であり、更に、再生装置７０は、第一コンテンツＣＮＴ１の再生位置に対応した掲示板情報を常に取得することができる。
【０１５４】
なお、再生装置７０は、第一コンテンツＣＮＴ１の再生中は、掲示板情報を再生せず、第一コンテンツＣＮＴ１のみを再生し、第一コンテンツＣＮＴ１の再生が終わった時点で、掲示板情報を表示するように構成してもよい。
（４）再生装置７０からサーバ装置８０へ送信される要求情報ＲＥＱは、画面内位置を示す情報を含む様に構成してもよい。ここで、画面内位置は、第一コンテンツＣＮＴ１が画面上に表示されている状態において、ユーザから画面上の所望の箇所が選択されることにより生成される情報である。
【０１５５】
これにより、再生装置７０は、ユーザにより選択された画面内位置に関連する関連情報をサーバ装置８０へ要求することができる。
（５）また、サーバ装置８０が再生装置７０へ送信する掲示板情報ＢＢＳ１の書込情報には再生位置情報に加えて、前記再生位置情報により示される場面における画面上の位置を特定する位置情報を含めても良い。
【０１５６】
これにより、ユーザは再生装置７０を用いて、再生している第一コンテンツＣＮＴ１に記録されているお薦め場面だけではなく、その場面のどの表示画面上の位置がお薦めなのかを知ることが出来るようになり、コンテンツ提供者は、ユーザにより詳細にお薦め場面の情報を提示出来るようになる。例えば、再生装置７０は、ディスプレィに表示されている画面の特定場所（例として、右上に写っている建物など）を四角や丸などの記号で示すことにより、ユーザにお薦め場面をより詳細に提示することが出来る。
【０１５７】
（６）サーバ装置８０が再生装置７０へ掲示板情報ＢＢＳ１を提供する際に、コンテンツ提供者は、再生装置７０を保持するユーザに課金を行っても良い。このときコンテンツ提供者はユーザ識別子を用いてユーザを特定するように構成してもよい。
なお、サーバ装置８０は、課金を行ってから掲示板情報ＢＢＳ１を送信しても良いし、掲示板情報ＢＢＳ１を送信して後で課金処理を行っても良い。また、課金を行う金額については様々なバラエティが考えられ、利用回数により金額を変えたり、一回目は無料で掲示板情報を提供し、二回目以降は有料で掲示板情報を提供するなどの方法が考えられる。
【０１５８】
（７）再生装置７０は、受信した掲示板情報ＢＢＳ１に含まれる再生位置情報ＴＩ１‐１（図２１参照）のコンテンツ識別子が、確かにコンテンツ識別子格納部７０３に格納されているコンテンツ識別子と同じであるか確認し、同じである場合にのみ、受信した掲示板情報ＢＢＳ１を表示するように構成してもよい。
この構成のよると、サーバ装置８０は、不特定多数の人に向けて複数の掲示板情報を送信し、再生装置７０はコンテンツ記録データＣＮＴＤＡＴＡ内のコンテンツ識別子ＣＩＤ‐１と一致したものだけを利用することが出来るようになる。
【０１５９】
（８）サーバ装置８０が再生装置７０に送信する掲示板情報ＢＢＳ１は、コンテンツの不正流出を防ぐため、暗号化処理を施してもよい。
（９）再生装置７０の許可情報入力部７０９は、ユーザの操作による許可情報ＰＲＭを受信しない場合でも、再生装置７０が掲示板情報ＢＢＳ１を受信後、受信した掲示板情報ＢＢＳ１に含まれる再生位置情報ＴＩ１‐１、ＴＩ１‐２、・・・に基づいて、第一コンテンツＣＮＴ１の抽出位置を変更してもよい。この場合、再生装置７０は、「再生位置を変更しますか？」という確認メッセージをディスプレィに表示してもよい。
【０１６０】
（１０）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ‐ＲＯＭ、ＭＯ、ＤＶＤ、ＤＶＤ‐ＲＯＭ、ＤＶＤ‐ＲＡＭ、ＢＤ（Ｂｌｕ‐ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１６１】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１６２】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（１１）上記実施の形態及び上記変形例をそれぞれ組み合わせる構成も本発明に含まれる。
【０１６３】
（１２）第１の実施の形態及び第２の実施の形態を組み合わせる構成も本発明に含まれる。
＜まとめ＞
以上説明したように、本発明は、コンテンツ関連情報提供システムであって、コンテンツの再生位置を示す再生位置情報を、再生装置へ送信するサーバ装置と、前記サーバ装置から前記再生位置情報を受信し、受信した前記再生位置情報により示される位置から前記コンテンツを再生する再生装置とから構成されることを特徴とする。
【０１６４】
この構成によると、再生装置は、サーバ装置がお薦めする位置からコンテンツを再生することができる。
また、本発明は、コンテンツを再生する再生装置であって、サーバ装置から再生位置情報を受信する再生位置情報受信手段と、受信した前記再生位置情報により示される位置から、前記コンテンツを再生する再生手段とを備えることを特徴とする。
【０１６５】
この構成によると、再生装置は、サーバ装置がお薦めする位置からコンテンツを再生することができる。
ここで、前記再生手段は、ユーザから再生位置変更指示を受け付けた場合に、前記再生位置情報により示される位置から、前記コンテンツを再生することを特徴とする。
この構成によると、再生装置は、ユーザの指示を受けてから、再生位置情報に従い再生するのでユーザにとって利便性が高まる。
【０１６６】
ここで、前記再生装置は、更に、ユーザからの要求を受け、前記サーバ装置へ再生位置情報を要求する再生位置情報要求手段を備えることを特徴とする。
この構成によると、再生装置は、ユーザの要求を受けてサーバ装置へ再生位置情報を要求するので、必要な場合にのみ再生位置情報を要求し、取得でき、ユーザにとって利便性が高まる。
【０１６７】
ここで、前記再生手段は、前記コンテンツの再生中に、前記再生位置情報受信手段が前記再生位置情報を受信すると、それまで再生していた再生位置を、受信した前記再生位置情報により示される再生位置に変更して、前記コンテンツを再生することを特徴とする。
この構成によると再生装置がコンテンツを再生中であっても、サーバ装置に対して、お薦めの再生位置を要求し、サーバ装置から送信される再生位置情報に基づき、お薦めの位置からコンテンツを再生することができる。
【０１６８】
ここで、前記再生位置情報受信手段は、前記サーバ装置から、前記再生位置情報を含む電子掲示板を受信することを特徴とする。
この構成によると、再生装置は、電子掲示板の形式で再生位置情報を受信するので、ユーザは、電子掲示板に書き込まれている情報を参照したうえで、必要に応じて再生位置変更指示を出せばよい。
【０１６９】
ここで、前記再生手段は、前記コンテンツ及び前記電子掲示板を出力する画面を備え、前記画面は、前記コンテンツと前記電子掲示板とを同時に表示することを特徴とする。
また、前記再生手段は、前記コンテンツと前記電子掲示板とから成る結合コンテンツを生成し、生成した前記結合コンテンツを前記画面に出力するように構成してもよい。
この構成によると、ユーザはコンテンツと電子掲示板とを同時に閲覧することができる。
【０１７０】
ここで、前記再生装置は、更に、前記コンテンツを表示する画面を備え、前記コンテンツが前記画面に表示されている状態において、ユーザから、画面上における所望の箇所を選択する画面選択指示を受け付け、選択された前記箇所の当該画面上における位置を示す画面内位置を取得し、前記再生位置情報要求手段は、前記画面内位置を含む前記再生位置要求を、前記サーバ装置へ送信することを特徴とする。
【０１７１】
この構成によると、再生装置は、再生中のコンテンツを視聴しているユーザから、画面内の所望の箇所の選択を受け付け、受け付けた前記箇所に関連する再生位置情報を、サーバに対して要求することができる。
ここで、前記コンテンツは、可搬型の記録媒体に格納されており、前記再生位置情報受信手段は、前記記録媒体の読出し位置を示す前記再生位置情報を受信し、前記再生手段は、前記読出し位置から、前記コンテンツを再生することを特徴とする。
【０１７２】
この構成によると、記録媒体に格納されているコンテンツであってもサーバ装置から再生位置情報を受信し、サーバ装置がお薦めする位置からコンテンツを再生することができる。
ここで、前記再生位置情報要求手段は、前記記録媒体から前記コンテンツを一意に識別するコンテンツ識別子を読み出し、読み出したコンテンツ識別子を含む前記要求情報を、前記サーバ装置へ送信することを特徴とする。
【０１７３】
この構成によると、記録媒体に複数のコンテンツが記録されている場合でも、コンテンツ識別子をサーバ装置へ送信することにより。再生装置は、目的のコンテンツに係る再生位置情報を取得することができる。
また、本発明は、サーバ装置であって、コンテンツの再生位置を示す再生位置情報を取得する再生位置情報取得手段と、取得した前記再生位置情報を、前記コンテンツを再生する再生装置へ送信する再生位置情報送信手段とを備えることを特徴とする。
【０１７４】
この構成によると、サーバ装置は、再生装置に対して、再生位置を誘導することができ、サーバ装置が提供したい位置のコンテンツの再生を促すことができる。
ここで、前記サーバ装置は、コンテンツを一意に識別するコンテンツ識別子と再生位置情報とを対応付けて記憶している再生位置情報記憶手段を備え、前記再生位置情報取得手段は、前記再生位置情報記憶手段から、コンテンツ識別子を参照して前記再生位置情報を取得することを特徴とする。
【０１７５】
この構成によると、サーバ装置は、コンテンツ識別子と対応付けて再生位置情報を記憶しておくことにより、複数のコンテンツについてお薦めの再生位置を示す再生位置情報を記憶しておくことができる。
ここで、前記サーバ装置は、更に、前記再生装置から、コンテンツ識別子を含む要求情報を受信する要求情報受信手段を備え、前記再生位置情報取得手段は、前記再生位置情報記憶手段から、前記コンテンツ識別子と対応する再生位置情報を取得することを特徴とする。
【０１７６】
この構成によると、サーバ装置は、再生装置からの要求を受けて再生位置情報を送信するので、ユーザのニーズに応じた再生位置情報の提供が可能である。
ここで、前記再生位置情報記憶手段は、前記再生位置情報を含む電子掲示板を記憶しており、前記再生位置情報取得手段は、前記再生位置情報記憶手段から、前記電子掲示板を取得し、前記再生位置情報送信手段は、取得した前記電子掲示板を前記再生装置へ送信することを特徴とする。
【０１７７】
この構成によると、サーバ装置は、再生位置情報のみを再生装置へ送信する場合と比較して、電子掲示板に含めて再生位置情報を送信するので、電子掲示板の利点を活かしたサービスの提供が可能になる。
ここで、前記再生位置情報記憶手段は、前記コンテンツを構成する場面ごとに、各場面に含まれる画像に関連する前記電子掲示板を、前記場面が前記再生装置の画面に表示されたときの、前記画像の前記画面上の位置を示す位置情報に対応付けて記憶しており、前記要求情報受信手段は、位置情報を含む前記要求情報を受信し、前記再生位置情報取得手段は、受信した前記要求情報に含まれる前記位置情報に対応する電子掲示板を、前記再生位置情報記憶手段から取得することを特徴とする。
【０１７８】
この構成によると、サーバ装置は、再生装置に表示される画面に登場する登場人物や物品に関する電子掲示板を提供することが可能であり、ユーザの細かなニーズに応じた再生位置情報を送信することが可能である。
ここで、前記再生装置は、更に、前記再生装置のユーザを一意に識別するユーザ識別子を受信するユーザ識別子受信手段と、受信した前記ユーザ識別子に基づき、前記ユーザに課金する課金手段を備えることを特徴とする。
【０１７９】
この構成によると、サーバ装置は、ユーザからの要求を受けて提供する再生位置情報の対価として、ユーザに課金することができる。
【産業上の利用可能性】
【０１８０】
本発明は、コンテンツをユーザに配信する産業において、例えば、記録媒体を用いて配信されたコンテンツの関連情報を、ユーザのきめ細かいニーズに応じてネットワーク経由でユーザに提供する付加サービス等に利用することができる。
【図面の簡単な説明】
【０１８１】
【図１】本発明に係る第１の実施の形態であるコンテンツ関連情報提供システム１の構成を示す図である。
【図２】記録媒体１０に格納されているコンテンツ記録データＣＮＴＤＡＴＡを示す図である。
【図３】第一再生装置２０の構成を機能的に示す機能ブロック図である。
【図４】カウンタ部２０３を示す図である。
【図５】ユーザ情報格納部２０４を示す図である。
【図６】再生位置情報ＴＩ１に含まれるデータを示す図である。
【図７】サーバ装置３０の構成を機能的に示す機能ブロック図である。
【図８】送信先情報格納部３０３に格納されている情報を示す図である。
【図９】コンテンツ格納部３０５に格納されている情報を示す図である。
【図１０】第二再生装置４０の構成を機能的に示す機能ブロック図である。
【図１１】コンテンツ関連情報提供システム１の全体の動作を示すフローチャートである。
【図１２】コンテンツ関連情報提供システム１における第一再生装置２０の動作を示すフローチャートである。
【図１３】コンテンツ関連情報提供システム１におけるサーバ装置３０の動作を示すフローチャートである。
【図１４】コンテンツ関連情報提供システム１における第二再生装置４０の動作を示すフローチャートである。
【図１５】コンテンツ関連情報提供システム１の変形例として、記録媒体１０に格納されているコンテンツ記録データＣＮＴＤＡＴＡを示す図である。
【図１６】図１６Ａは、コンテンツ関連情報提供システム１の変形例として、第一再生装置２０の出力部２１０に表示される画面の一例を示す図である。図１６Ｂは、図１６Ａにおいて「場面６」が選択された場合に、第二再生装置４０に表示される第二コンテンツを示す図である。
【図１７】本発明に係る第２の実施の形態であるコンテンツ関連情報提供システム２の構成を示す図である。
【図１８】記録媒体６０に格納されているコンテンツ記録データＣＮＴＤＡＴＡを示す図である。
【図１９】再生装置７０の構成を機能的に示す機能ブロック図である。
【図２０】再生装置７０の出力部７１２に表示される画面の一例を示すである。
【図２１】再生位置情報ＴＩ１‐１に含まれるデータを示す図である。
【図２２】掲示板要求情報ＲＥＱＢＢＳに含まれるデータを示す図である。
【図２３】サーバ装置８０の構成を機能的に示す機能ブロック図である。
【図２４】掲示板情報格納部８０５に格納されているデータを示す図である。
【図２５】コンテンツ関連情報提供システム２の動作を示すフローチャートであり、図２６に続く。
【図２６】コンテンツ関連情報提供システム２の動作を示すフローチャートであり、図２５から続く。
【図１】
0004664207.tif 000002
【図２】
0004664207.tif 000003
【図３】
0004664207.tif 000004
【図４】
0004664207.tif 000005
【図５】
0004664207.tif 000006
【図６】
0004664207.tif 000007
【図７】
0004664207.tif 000008
【図８】
0004664207.tif 000009
【図９】
0004664207.tif 000010
【図１０】
0004664207.tif 000011
【図１１】
0004664207.tif 000012
【図１２】
0004664207.tif 000013
【図１３】
0004664207.tif 000014
【図１４】
0004664207.tif 000015
【図１５】
0004664207.tif 000016
【図１６】
0004664207.tif 000017
【図１７】
0004664207.tif 000018
【図１８】
0004664207.tif 000019
【図１９】
0004664207.tif 000020
【図２０】
0004664207.tif 000021
【図２１】
0004664207.tif 000022
【図２２】
0004664207.tif 000023
【図２３】
0004664207.tif 000024
【図２４】
0004664207.tif 000025
【図２５】
0004664207.tif 000026
【図２６】
0004664207.tif 000027